(57)【要約】      （修正有）【課題】メタデータ又は制御データを含むメディア信号を処理するための改善されたコンセプトを提供する。【解決手段】一次メディアデータについてのメタデータ又は制御データを有する二次メディアデータを符号化する符号器であって、符号器は、冗長性付加又は帯域制限を使用して二次メディアデータを、デジタル語のストリームとして符号化済み二次メディアデータを出力する。デジタル語のストリームは、デジタルオーディオストリームの典型的処理に耐えられるように形成される。デジタルオーディオストリームを処理するための手段は、デジタル語のストリームを処理する。【選択図】図２
2019193268.tif 000002
【特許請求の範囲】
【請求項１】
一次メディアデータ（９０，９０ａ，９０ｂ）についてのメタデータ又は制御データを有する二次メディアデータ（８０，１２５，１３０）を符号化する符号器（１００）において、
前記符号器（１００）は前記二次メディアデータ（８０，１２５）を符号化して、デジタル語（１４２）のストリーム（１４５）を取得するよう構成され、前記符号化は前記二次メディアデータをデジタル変調によって変換すること又は帯域制限することを含み、
前記符号器（１００）は、前記デジタル語（１４２）のストリーム（１４５）として、符号化済み二次メディアデータを出力するよう構成される、符号器。
【請求項２】
請求項１に記載の符号器（１００）において、前記符号化は前記デジタル変調によって冗長性を付加することを含む、符号器（１００）。
【請求項３】
請求項１又は２に記載の符号器（１００）において、前記デジタル変調は、前記デジタル語のストリームの１デジタル語当り、前記二次メディアデータ（８０，１２５，１３０）の２ビット以上が伝送されるようにされる、符号器（１００）。
【請求項４】
請求項１乃至３の何れか１項に記載の符号器（１００）において、前記符号器は、前記デジタル語のストリームがＰＣＭオーディオチャネルを介して伝送可能なように、前記デジタル語（１４２）のストリーム（１４５）を出力するよう構成される、符号器（１００）。
【請求項５】
請求項１乃至４の何れか１項に記載の符号器（１００）において、前記符号器は、デジタル語の追加的ストリームを出力するよう構成され、前記デジタル語の追加的ストリームは前記一次メディアデータを表し、前記追加的ストリームは前記デジタル語（１４２）のストリーム（１４５）から分離されている、符号器（１００）。
【請求項６】
請求項５に記載の符号器（１００）において、前記一次メディアデータはオーディオデータであり、前記二次メディアデータは前記オーディオデータについてのメタデータ又は前記オーディオデータについての制御データである、符号器（１００）。
【請求項７】
請求項５又は６に記載の符号器（１００）において、前記符号器は、前記デジタル語の追加的ストリームが第１のオーディオＰＣＭチャネルを介して伝送可能であり、かつ前記デジタル語のストリームが第１のオーディオＰＣＭチャネルとは異なる第２のオーディオＰＣＭチャネルを介して伝送可能であるように、前記デジタル語（１４２）のストリーム（１４５）と前記デジタル語の追加的ストリームとを出力するよう構成される、符号器（１００）。
【請求項８】
請求項５乃至７の何れか１項に記載の符号器（１００）において、前記一次メディアデータ（９０ａ，９０ｂ）を表す前記追加的ストリームのデジタル語の各々は、８ビットより大きく、３２ビットより小さな所定のビット数を有しており、前記デジタル語のストリームのデジタル語の各々もまた所定のビット数を有する、符号器（１００）。
【請求項９】
請求項１乃至８の何れか１項に記載の符号器（１００）において、前記デジタル変調はパルス振幅変調である、符号器（１００）。
【請求項１０】
請求項１乃至９の何れか１項に記載の符号器（１００）において、前記符号器は、前記デジタル語のストリームがタイミング基準パターン又は振幅基準パターンを含むように、前記デジタル語のストリームを生成するよう構成される、符号器（１００）。
【請求項１１】
請求項１乃至１０の何れか１項に記載の符号器（１００）において、前記符号器はビデオ画像のシーケンスを表現するビデオストリームを出力するよう構成され、前記符号器は、あるビデオ画像に関連する前記二次メディアデータの制御データ又はメタデータがそのビデオ画像に関係するように、前記デジタル語（１４２）のストリーム（１４５）を出力するよう構成される、符号器（１００）。
【請求項１２】
請求項１１に記載の符号器（１００）において、前記符号器は前記デジタル語のストリームを、前記ビデオ画像のシーケンスの第１ビデオ画像に関連したデジタル語の第１ストリームとして出力するよう構成され、かつ前記デジタル語のストリームを、前記ビデオ画像のシーケンスの第２ビデオ画像に関連したデジタル語の第２ストリームとして出力するよう構成され、前記第１及び第２のデジタル語は互いに等しい、符号器（１００）。
【請求項１３】
請求項１乃至１２の何れか１項に記載の符号器（１００）において、
前記符号器（１００）は、１２〜２８ビットを有するか、３０ｋＨｚ〜５５ｋＨｚの間のサンプリングレートでサンプリングされるか、７０〜１６０ｄＢのダイナミックレンジを有するか、又はＲＭＳフルスケールで−２０ｄＢの公称信号レベルを有する、前記デジタル語（１４２）を生成するよう構成される、符号器（１００）。
【請求項１４】
請求項１乃至１３の何れか１項に記載の符号器（１００）において、前記符号器は、３０ｋＨｚ〜５５ｋＨｚの間のサンプリングレートについて、前記二次メディアデータを帯域制限するために１５ｋＨｚ〜２７．５ｋＨｚの間の上側周波数を使用するよう構成される、符号器（１００）。
【請求項１５】
請求項１乃至１４の何れか１項に記載の符号器（１００）において、前記符号器は、
第１のビット数を有する二次メディアデータのグループを、前記第１のビット数より大きな第２のビット数を有するデータ語（１４０）へマッピングするよう構成されたマッパ（１１５）であって、前記グループ化された二次メディアデータ（１３０）は、前記データ語（１４０）の最上位ビット又は最下位ビットへとあるギャップを持って整列されている、マッパ（１１５）と、
符号化済み二次メディアデータ（５５）を表すデジタル語のストリーム（１４５）を構築するよう構成されたストリームビルダ（１２０）とを備える、符号器。
【請求項１６】
請求項１乃至１５の何れか１項に記載の符号器（１００）において、二次メディアデータ（１２５）のビットストリームをグループ化して、グループ化された二次メディアデータ（１３０）を形成するためのグルーパ（１０５）を含む、符号器（１００）。
【請求項１７】
請求項１乃至１６の何れか１項に記載の符号器（１００）において、
前記符号器は、前記一次メディアデータ（９０，９０ａ，９０ｂ）における基準振幅（４１、４２）又は所定のタイミング時点（４０，１６５）を示す基準パターン（１３５）を生成するよう構成された基準信号生成部（１７）を有し、
前記ストリームビルダ（１２０）は、前記基準パターン（６０）又は前記データ語（１４０）を使用して、符号化済み二次メディアデータ（５５）を表すデジタル語のストリーム（１４５）を構築するよう構成される、符号器。
【請求項１８】
請求項１乃至１７の何れか１項に記載の符号器（１００）において、ストリームビルダは、データ語（１４０）又は基準パターン（１３５）をローパスフィルタリングして、所定のサンプルレートの１サンプルより大きな長さを有するデジタル語を取得するフィルタ（１５）を備え、前記デジタル語の振幅は、前記データ語（１４０）又は前記基準パターン（１３５）に従って重み付けされ、前記フィルタ（１５）は所定のサンプルレートの各時点において連続的なデジタル語を合算し、前記デジタル語のストリームを取得するよう構成される、符号器。
【請求項１９】
請求項１乃至１８の何れか１項に記載の符号器（１００）において、
前記フィルタ（１５）は、データパルス（１５'）の所定のサンプルレートの各時点におけるゼロ点（１６５）を得るよう構成され、前記データパルスはグループ化された二次メディアデータ（１３０）又は前記基準パターン（１３５）を含む１つのデータ語（１４０）を有し、
前記ストリームビルダ（１２０）は、前記データパルス（１５'）のゼロ点（１８０ｃ）が追加のデータパルスの最大値（１８０ａ）に整列されるように、前記基準パターン及び複数のデータ語を使用して、前記符号化済み二次メディアデータ（５５）を表す前記ストリームを構築し、前記符号化済み二次メディアデータを表すシンボル間干渉のないストリームを取得するよう構成される、符号器。
【請求項２０】
請求項１乃至１９の何れか１項に記載の符号器（１００）において、前記フィルタ（１５）は、前記一次メディアデータのサンプリング周波数の１．５倍未満のカットオフ周波数を有する、符号器。
【請求項２１】
請求項１乃至２０の何れか１項に記載の符号器（１００）において、基準信号生成部（１７）は、第１のビット数を持つグループ化された基準パターンを生成するよう構成され、前記基準信号生成部（１７）は前記グループ化された基準パターンを、第１のビット数より大きな第２のビット数を持つ１つのデータ語（１４０）へとマップするようさらに構成され、又は
前記マッパ（１１５）は、第１のビット数を持つグループ化された基準パターンを、第１のビット数より大きな第２のビット数を持つ１つのデータ語（１４０）へとマップするよう構成される、符号器。
【請求項２２】
請求項１乃至２１の何れか１項に記載の符号器（１００）において、前記符号器は、デジタル語（１４２）のストリーム（１４５）としての符号化済み二次メディアデータを制御トラックとして出力し、かつ１５チャネルまでの一次メディアデータをオーディオトラックとして出力するよう構成され、前記制御トラック及び前記オーディオトラックはＡＥＳ３標準に従って形成される、符号器。
【請求項２３】
一次メディアデータ（９０，９０ａ，９０ｂ）についてのメタデータ又は制御データを有する符号化済み二次メディアデータ（５５）を表す、デジタル語の受信されたストリーム（１４５）を有するメディア信号（１５５）を復号化する復号器（５０）であって、
前記復号器は、二次メディアデータ（８０，１２５）を復元するよう構成され、前記復元は、デジタル復調操作又はリサンプリング操作を適用して、復元された二次メディアデータ（８０，１２５）を取得することを含み、
前記復号器は、前記復元された二次メディアデータ（８０，１２５）からビットストリーム（１２５'）を導出するよう構成される、復号器。
【請求項２４】
請求項２３に記載の復号器（５０）において、前記復元は、受信されたデジタル語（１４２）によって表現された振幅に関して、デジタル語（１４２）の受信されたストリーム（１４５）を操作することを含む、復号器。
【請求項２５】
請求項２３又は２４に記載の復号器（５０）において、前記メディア信号は、符号化済み一次メディアデータを表す追加的に受信されたデジタル語のストリームをさらに含み、前記追加的に受信されたストリームは前記受信されたストリームとは分離されており、
前記復号器は、前記追加的に受信されたストリームによって表現された前記一次メディアデータを、前記ビットストリームによって表現された前記メタデータ又は制御データを使用して処理するよう構成されている、復号器。
【請求項２６】
請求項２３乃至２５の何れか１項に記載の復号器（５０）において、
前記符号化済み二次メディアデータ（５５）の基準パターン（１３５）を分析するための基準パターン分析部（６０）であって、前記基準パターン（１３５）の振幅（４１，４２）を決定し、又は前記一次メディアデータ（９０，９０ａ，９０ｂ）内での所定のタイミング時点（４０）を決定するよう構成された、基準パターン分析部（６０）と、
前記符号化済み二次メディアデータ（５５）を分析された基準パターン（７５）及び計算された基準パターンに従って操作し、二次メディアデータ（８０，１２５）を得る信号マニピュレータ（６５）と、
前記一次メディアデータ（９０，９０ａ，９０ｂ）を前記符号化済み二次メディアデータ（５５）に従って処理し、復号化済みメディア信号（８５）を得る，信号処理部（７０）と、
を有する復号器。
【請求項２７】
請求項２３乃至２６の何れか１項に記載の復号器（５０）において、信号マニピュレータ（６５）が、前記基準パターン（１３５）において示された前記一次メディアデータ（９０，９０ａ，９０ｂ）の所定のタイミング時点（４０，１６５）にしたがって、前記デジタル語（１４０）に関連するサンプルレートを所定のサンプルレートへと変換し、リサンプル済みのデジタル語を取得するよう構成されたサンプルレート変換器（２８）を含む、復号器。
【請求項２８】
請求項２３乃至２７の何れか１項に記載の復号器（５０）において、基準パターン分析部は、
サンプルレートのサンプルについて、前記基準パターンにおける前記一次メディアデータの所定のタイミング時点を決定するよう構成された、タイミング時点決定部（３２）と、
決定されたタイミング時点周りのある範囲をアップサンプルして、所定のタイミング時点の正確な位置を決定するよう構成された、アップサンプラ（３３）と、
デジタル語のストリーム内での前記デジタル語の正確な位置を決定し、所定のサンプルレートとは異なる、前記デジタル語に関連した実際のサンプルレートを取得するよう構成された、サンプリング・アキュムレータ（３４）と、を含む、
復号器。
【請求項２９】
請求項２３乃至２８の何れか１項に記載の復号器（５０）において、前記基準パターン分析部（６０）は、前記基準パターンの振幅及び前記計算された基準パターンの振幅に従って増幅又は減衰ファクタを計算するゲインファクタ計算部（９４）を含み、前記信号マニピュレータ（６５）は、前記増幅又は減衰ファクタに従って前記データ語を増幅又は減衰させ、ゲイン補償されたデータ語を得るよう構成された乗算器（２７）を含む、復号器。
【請求項３０】
請求項２３乃至２９の何れか１項に記載の復号器（５０）において、
前記基準パターン分析部は、基準パターンの振幅と前記基準パターンの追加的振幅とを決定する振幅検出部を有し、
前記基準パターン分析部（６０）は、前記基準パターン（１３５）の振幅と前記基準パターンの追加的振幅とのドリフトに従って、前記符号化済み二次メディアデータのオフセットを計算するよう構成されたオフセット補償ユニット（９６）をさらに有し、前記信号マニピュレータ（６５）は、前記符号化済み二次メディアデータに対して前記符号化済み二次メディアデータのオフセットを加算して、オフセット補償された符号化済み二次メディアデータ（９６）を得るよう構成された加算器を含む、
復号器。
【請求項３１】
請求項２３乃至３０の何れか１項に記載の復号器（５０）において、
信号マニピュレータ（６５）は、第１のビット数よりも大きい第２のビット数を有するデータ語（１４０）から、第１のビット数を有する二次メディアデータをデマップするよう構成されたデマッパ（２９）を備え、又は
信号マニピュレータ（６５）は、第１のビット数を有する二次メディアデータのグループのグループ化を解除し、復号化済み二次メディアデータのビットストリームを取得するアングルーパ（３１）を備える、
復号器。
【請求項３２】
一次メディアデータ（９０，９０ａ，９０ｂ）についてのメタデータ又は制御データを含む符号化済み二次メディアデータ（５５）を表すデジタル語（１４２）のストリーム（１４５）を有する、メディア信号（１５５）。
【請求項３３】
請求項３２に記載のメディア信号（１５５）であって、前記デジタル語（１４２）はフィルタリングされた二次メディアデータを含む、メディア信号（１５５）。
【請求項３４】
請求項３２又は３３に記載のメディア信号（１５５）であって、前記二次メディアデータは基準パターン（１３５）と複数のデータ語（１４０）とを含む、メディア信号（１５５）。
【請求項３５】
請求項３２乃至３４の何れか１項に記載のメディア信号（１５５）であって、前記二次メディアデータは、前記データ語の最上位ビット又はデータ語の最下位ビットに対してあるギャップをもって、データ語にマップされている、メディア信号（１５５）。
【請求項３６】
請求項３２乃至３５の何れか１項に記載のメディア信号（１５５）であって、前記基準パターンは、符号化済み二次メディアデータの基準振幅と一次メディアデータにおける所定のタイミング時点とを有し、前記複数のデータ語は二次メディアデータを含む、メディア信号（１５５）。
【請求項３７】
請求項３２乃至３６の何れか１項に記載のメディア信号（１５５）であって、前記メディア信号は前記一次メディアデータの追加的ストリームを有し、前記一次メディアデータはオーディオデータ又はビデオデータを有し、前記一次メディアデータを有する追加的ストリームは、前記一次メディアデータにおける所定のタイミング時点において前記符号化済み二次メディアデータのストリームに整列されている、メディア信号（１５５）。
【請求項３８】
一次メディアデータ（９０，９０ａ，９０ｂ）についてのメタデータ又は制御データを有する符号化済み二次メディアデータ（５５）を表す、デジタル語の受信されたストリーム（１４５）を有するメディア信号（１５５）を復号化する方法（１１００）において、
二次メディアデータ（８０，１２５）を復元するステップであって、前記復元は、デジタル復調操作又はリサンプリング操作を適用して、復元された二次メディアデータ（８０，１２５）を取得することを含む、ステップと、
前記復元された二次メディアデータ（８０，１２５）からビットストリーム（１２５'）を導出するステップと、
を含む方法。
【請求項３９】
一次メディアデータ（９０，９０ａ，９０ｂ）についてのメタデータ又は制御データを有する二次メディアデータ（８０，１２５）を符号化する方法（１２００）であって、
前記二次メディアデータ（８０，１２５）を符号化してデジタル語（１４２）のストリーム（１４５）を取得するステップであって、前記符号化は前記二次メディアデータをデジタル変調によって変換すること又は帯域制限することを含む、ステップと、
前記デジタル語（１４２）のストリーム（１４５）として、符号化済み二次メディアデータを出力するステップと、
を含む方法。
【請求項４０】
コンピュータプログラムがコンピュータ上で作動するとき、請求項３８又は３９に記載の方法を実行する、プログラムコードを有するコンピュータプログラム。
【請求項４１】
請求項１乃至２２の何れか１項に記載の符号器と、
請求項２３乃至３１の何れか１項に記載の復号器と、を含むデータ処理システム。
【請求項４２】
請求項４１に記載のデータ処理システムであって、
前記デジタル語（１４２）のストリーム（１４５）を操作して、デジタル語の操作済みストリームを取得する信号マニピュレータをさらに含み、
前記復号器は、前記デジタル語の操作済みストリームから前記デジタル語のストリームを復元するよう構成される、データ処理システム。
【請求項４３】
請求項４２に記載のデータ処理システムであって、
前記信号マニピュレータは、振幅増幅若しくは振幅減衰、オフセット導入若しくはオフセット変化、周波数選択的な減衰若しくは増幅、又はリサンプリングによって、操作するよう構成され、
前記復号器（５０）は、振幅増幅若しくは振幅減衰、オフセット導入若しくはオフセット変化、周波数選択的な減衰若しくは増幅、又はリサンプリングによって操作された、デジタル語のストリームを復元するよう構成される、データ処理システム。
【請求項４４】
請求項４２又は４３に記載のデータ処理システムであって、前記信号マニピュレータはＰＣＭオーディオチャネルを受信し、ＰＣＭオーディオチャネルを出力するよう構成され、
前記符号器は前記ＰＣＭオーディオチャネルを介して伝送可能な信号を出力するよう構成され、
前記復号器は前記ＰＣＭオーディオチャネルから前記受信されたストリームを受信するよう構成される、データ処理システム。
【発明の詳細な説明】
【技術分野】
【０００１】
本発明は、メディア信号を復号化する復号器及び、一次メディアデータについてのメタデータ又は制御データを含む二次メディアデータを符号化する符号器に関する。
【０００２】
換言すれば、本発明は、１つのデジタルオーディオチャネルを介して制御データ又はメタデータを配信するための方法と装置とを示す。一実施形態は、特にＨＤ−ＳＤＩ（高解像度シリアルデジタルインターフェース）ビデオ信号に埋め込まれた標準ＡＥＳ３（ＡＥＳ：オーディオ技術協会）ＰＣＭ（パルス符号変調）オーディオビットストリームを使用するテレビ設備、システム、又はネットワークにおいて、オーディオ信号に付随する制御データ又はメタデータの簡便で信頼性のある伝送を示す。
【背景技術】
【０００３】
音楽、ビデオ、及び他のマルチメディアコンテンツの生成及び伝送において、そのコンテンツの再生は、そのコンテンツの特性を表すメタデータを含ませることによって、強化され、又はより便利又は価値あるようになし得る。例えば、ＭＰ３フォーマットで符号化された音楽は、コンテンツのタイトル又はアーティストについての情報を提供するために、ＭＰ３ファイルの中にＩＤ３タグを含ませることにより、さらに便利になってきた。
【０００４】
ビデオコンテンツの中に、記述的メタデータだけでなく、消費者の設備や環境に依存してコンテンツの再生を制御するためのデータをも含むことは通常のことである。例えば、テレビ放送及びＤＶＤやブルーレイなどのビデオディスクは、コンテンツのラウドネスレンジを修正するのに使用されるダイナミックレンジ制御データと、ステレオ装置における再生のためにサラウンドサウンド・マルチチャネルオーディオ信号の変換を制御するために使用されるダウンミックスゲインとを含む。ダイナミックレンジ制御データの場合には、ゲインはコンテンツの数ミリ秒毎に送られ、これにより、ノイズの多い環境やプログラム内でより小さなラウドネスレンジが望まれる場所では、任意選択的に最終的なオーディオ信号がそのゲインで乗算されることで、再生用コンテンツのダイナミックレンジが圧縮される。
【０００５】
消費者への配信のためのデジタルビットストリーム又はファイルにそのようなメタデータ又は制御データを混入する手段は、（Advanced Television Systems Committee, Inc．オーディオ圧縮標準Ａ／５２において標準化された）ＡＴＳＣ  Ａ／５２又は（ＩＳＯ／ＩＥＣ  １４４９６−３  及び  ＥＴＳＩ  ＴＳ  １０１  １５４において標準化された）ＭＰＥＧ  ＨＥ−ＡＡＣのような、オーディオ符号化標準において良好に確立されかつ準備されている。
【０００６】
しかしながら、コンテンツが最終的なビットストリームに符号化される前の、プロフェッショナルな、又はクリエイティブな環境におけるメタデータ又は制御データの伝送は、非常に僅かしか標準化されていない。現在まで、この情報は、コンテンツの持続時間に亘って一定を維持しながら本質的に静的な特性を持っていた。しかし、ラウドネス制御ゲインはダイナミックであり、コンテンツ生成標準において、最終的なオーディオ符号化処理の間のゲインの生成を制御するために、「符号化プロファイル」が確立されてもよい。このようにすれば、コンテンツ創造環境において、ダイナミック・メタデータが記録され又は伝送される必要がない。
【０００７】
二次元又は三次元における音が、伝統的なスピーカチャネル又はアンビソニックコンポーネントにおけるレベルによって表現されず、空間座標又はそれらの位置及び大きさを表す他のデータによって表される、オブジェクト指向のオーディオシステムの発展により、そのような音が時間と共に移動する場合に、連続的に変化するダイナミック・メタデータの伝送が必要となった。また、切替可能な言語、視覚障害者のための音声記述、又はスポーツイベントのためのホーム又はアウェイチーム用の解説のような、異種の追加的オーディオ要素を有するコンテンツの創造を可能にするためにも、静的オブジェクトが使用される。そのような静的オブジェクトを持つコンテンツは、プロフェショナルな設備が順応させるべく現在設計されている、ステレオや５．１サラウンドのような均一モデルのチャネルにはもはや適合しない。そのため、記述的メタデータが生成又は配信の期間中にコンテンツの各項目に付随するようにしてもよく、その方法でそのメタデータが消費者への放射又は配信のためにオブジェクトビットストリーム内へと符号化され得るようにしてもよい。
【０００８】
理想的には、プロフェショナルなコンテンツ・フォーマットは、そのような位置又は記述的メタデータのための手段を、それらのストラクチャ又はスキームの中に単純に含み得る。実際のところ、ＭＤＡやＢＷＦ−ＡＤＭのような現実のフォーマットに対する新たなフォーマット又は延長は、この目的で発展してきた。しかしながら、そのようなフォーマットは、殆どの場合、レガシー設備によって理解されず、特にライブ又はリアルタイム使用のために設計されたシステムにおける配信には向いていない。
【０００９】
そのようなシステムでは、ＡＥＳ  ２，ＭＡＤＩ又はＳＤＩにおける埋込型オーディオのようなレガシー標準が通常である。これら標準の使用は、Ｒｅｖａｎｎａ，Ｄａｎｔｅ又はＡＥＳ６７のようなＩＰベースの標準によって、徐々に増強され、又は置き換えられている。これら標準又は技術の全ては、ＰＣＭオーディオのチャネルを伝送するために設計されており、ダイナミック・メタデータ又は記述的メタデータを送信するための手段を持っていない。
【００１０】
この問題を解決すると考えられる一手法は、静的メタデータをも含み適切にフォーマットされたデジタルビットストリームが含まれ得るように、トランスペアレント・ビットレートオーディオ符号化を使用する「メザニン」フォーマットで、オーディオを符号化することであった。その場合、このビットストリームは、伝統的なテレビ装置又はプロフェッショナルな設備上で、PCM符号化済みオーディオデータとして送信され得るように、フォーマットされていた。この技術のテレビ産業への一般的な実装は、ＳＭＰＴＥ標準ＳＴ  ３３７に従うＰＣＭ  ＡＥＳ３オーディオチャネルにおいて搬送されている、ドルビーＥシステムである。
【００１１】
ドルビーＥは、４つのＰＣＭオーディオチャネルを持つよう設計されたレガシー設備を、サラウンド音響のために必要とされる５．１チャネルのために使用可能にし、またプログラムの「ダイアルノルム（dialnorm）」又は統合されたラウドネス値を伝送するための手段を含む。
【００１２】
ドルビーＥシステムの使用は、幾つか操作上の欠点を明らかにした。その第１の欠点は、生成又は配信設備のＳＤＩ装置においてＰＣＭオーディオ信号を埋め込むために使用される多くの装置の中で、サンプルレート変換を含むことであった。オーディオ信号のサンプルレート変換又はリサンプリングは、オーディオデータ・サンプリングクロックと、その設備内で使用されるビデオ・サンプリングクロック及びビデオ同期信号と、の間の正確な位相及び周波数同期を確保するために、通常実行される。そのようなリサンリングは、ＰＣＭオーディオ信号に対して通常は不可聴効果を有するが、ＰＣＭサンプル値を変化させる。そのため、ドルビーＥビットストリームを伝送するために使用されるオーディオチャネルは、リサンプリングによって破損したビットストリームを有するおそれがある。そのような場合には、リサンプリングは不可とされ得、他の手段がその設備内でサンプルクロックの同期を確保するために用いられ得る。
【００１３】
他の欠点は、使用されたオーディオコーデックのブロック変換の特質によって導入された遅延であった。ドルビーＥコーデックは、その信号を符号化するための１つのビデオフレーム（インターレースＡＴＳＣビデオについて略１／３０秒）と、その信号を復号化するための１つのビデオフレームとを必要とし、その結果、ビデオに比べてオーディオの２フレーム分の遅延をもたらした。このことは、リップ同期（lip-sync）を維持するために、ビデオ信号を遅延させる必要があり、配信設備におけるさらなる遅延を導入することになる。
【００１４】
第３の欠点は、オーディオ信号に代えてドルビーＥビットストリームをデータチャネルとして搬送している入力を取り扱うために、ＳＤＩルーティング切替器（SDI routing switchers）をプログラムする必要があることである。ドルビーＥは、ビデオ信号の垂直帰線期間（vertical interval）の周りに「ガードバンド」を含み、ドルビーＥデータの損失なしにルーティング切替器を他の入力へと切り替えることを可能にするが、多くのルーティング切替器は、そのような切り替えの間にオーディオ信号のクロスフェードを実行し、通常のＰＣＭオーディオ信号における可聴ポップや過渡を防止する。これらクロスフェードは５−２０ｍｓの持続時間があり、その切替点の付近でドルビーＥビットストリームを破損する。
【００１５】
これら動作上の制約により、殆どのテレビ設備は、それらがネットワークに接続された途端に全てのコンテンツのダイアルノルムレベルを正規化する方式を選択して、ドルビーＥの使用を放棄させる結果となり、固定のダイアルノルム値とダイナミックレンジ・プロファイルとがそれらの出力オーディオ符号器の中へとプログラムされかねない状況だった。
【００１６】
テレビ設備において時折使用される代替技術は、ＳＭＰＴＥ標準ＳＴ２０２０において標準化されているように、メタデータ情報をＶＡＮＣデータ内のＳＤＩビデオ信号そのものに挿入することである。この技術は、ＡＥＳ３のユーザービットを使用してメタデータを搬送することと組合せられることが多い。しかし、しかしながら、通常のＳＤＩ埋込型設備は、ＶＡＮＣビット内への挿入用に、このメタデータをＡＥＳストリームから抽出することをサポートしていない。
【００１７】
時折使用される更なる技術は、ダイナミック制御データをオーディオ信号のＬＳＢ内に挿入することによって、ダイナミック制御データをＰＣＭオーディオ信号内に符号化することである。そのような技術は、非特許文献８に記載されており、ＭＰＥＧサラウンド・オーディオ符号化標準の実装において用いられてきた。しかしながら、そのような埋込データは、サンプルレート変換又はＬＳＢの切り詰めに対する耐性を持たない。
【００１８】
関連する一技術は、ＡＥＳ３標準において規定されたユーザービット又は補助サンプルビットなどの追加的ビットを、ダイナミック制御データに適したサイドデータチャネルとして使用することである。しかし、残念ながら、ＡＥＳ３標準の多くの実装は、この情報を廃棄してしまう。
【００１９】
上述した複数の技術のさらなる制約は、それら技術が技術的伝送環境においてのみ使用されるよう意図されていることである。もしそれらが、オーディオコンソールやデジタルオーディオ・ワークステーションのようなクリエイティブな設備を介してルーティングされた場合には、含んでいるＰＣＭチャネルに対して何ら動作が実行されなかったとしても、そのような設備がそのような目的のために設計されていないので、そのコンソールを介したデータ経路がビット厳密であることが保証され得ないであろう。たとえそのようなビット厳密さが確保されたとしても、制御フェーダーに触れて、それによりＰＣＭチャネルにおける僅かなゲイン変化を誘発するという単純な事故が、信号を破損してしまうであろう。
【００２０】
これら全ての技術に共通する点は、ＰＣＭオーディオ信号の搬送だけの目的で設計され、デジタル制御データの埋込について考慮していない、生成及びトランスポート設備により課された制約である。
【００２１】
したがって、改善されたアプローチが必要になる。
【先行技術文献】
【非特許文献】
【００２２】
【非特許文献１】International Organization for Standardization and International Electrotechnical Commission, ISO/IEC 14496-3 Information technology _ Coding of audio-visual objects _ Part 3: Audio, www.iso.org.
【非特許文献２】International Organization for Standardization and International Electrotechnical Commission, ISO/IEC 23003-1:2007 Information technology - MPEG audio technologies - Part 1: MPEG Surround, www.iso.org.
【非特許文献３】International Organization for Standardization and International Electrotechnical Commission, ISO/IEC DIS 23008-3 Information technology - High efficiency coding and media delivery in heterogeneous environments - Part 3: 3D audio, www.iso.org.
【非特許文献４】European Telecommunications Standards Institute, ETSI TS 101 154: Digital Video Broadcasting (DVB); Specification for the use of Video and Audio Coding in Broadcasting Applications based on the MPEG-2 transport stream, www.etsi.org.
【非特許文献５】Advanced Television Systems Committee, Inc., Audio Compression Standard A/52, www.atsc.org.
【非特許文献６】Dolby Laboratories, Inc., “Post It with Dolby E”, www.dolby.com, 2003.
【非特許文献７】Snell Ltd., “White Paper: Dolby E Processing, Working with Dolby E in a Broadcast Environment”, www.snellgroup.com, 2011.
【非特許文献８】A. W. J. Oomen, M. E. Groenewegen, R. G. van der Waal, and R. N. J. Veldhuis, “A Variable-Bit-Rate Buried-Data Channel for Compact Disc,” J. Audio Eng. Soc., vol. 43, p. 23-28 (1995 Jan./Feb.).
【非特許文献９】Audio Engineering Society, AES 3-2003, AES standard for digital audio - Digital input-output interfacing - Serial transmission format for two-channel linearly represented digital audio data, www.aes.org, 2003.
【非特許文献１０】Audio Engineering Society, AES10-2008 (r2014): AES Recommended Practice for Digital Audio Engineering - Serial Multichannel Audio Digital Interface (MADI), www.aes.org, 2014.
【非特許文献１１】Audio Engineering Society, AES67-2013: AES standard for audio applications of networks - High-performance streaming audio-over-IP interoperability), www.aes.org, 2013.
【非特許文献１２】Society of Motion Picture and Television Engineers, Ancillary Data Packet and Space Formatting, ST 291-1:2011.
【非特許文献１３】Society of Motion Picture and Television Engineers, 1.5 Gb/s Signal/Data Serial Interface ST 292-1:2012.
【非特許文献１４】Society of Motion Picture and Television Engineers, Format for Non-PCM Audio and Data in an AES3 Serial Digital Audio Interface ST 337:2008.
【非特許文献１５】Society of Motion Picture and Television Engineers, Format of Audio Metadata and Description of the Asynchronous Serial Bitstream Transport ST 2020-1:2014.
【非特許文献１６】"A flexible sampling-rate conversion method," Julius O. Smith and P. Gossett,  IEEE International Conference on ICASSP 1984, pp.112-115, Mar 1984.
【非特許文献１７】“Principles of Interactive Computer Graphics”, Newman and Sproull, 2nd ed., Mc-Graw-Hill, 1979, figure 2-9,
【発明の概要】
【発明が解決しようとする課題】
【００２３】
本発明の目的は、メタデータ又は制御データを含むメディア信号を処理するための改善されたコンセプトを提供することである。この目的は、独立請求項の主題によって解決される。
【課題を解決するための手段】
【００２４】
本発明は、次のような知見に基づいている。すなわち、二次メディアデータ、例えば一次メディア信号（例えばペイロードデータ）のコンテンツの追加情報を運ぶメタデータ、又は一次メディアデータのコンテンツの再生を制御するデータを含む制御データは、信号操作の有為な変動に対してロバストであるデジタル語のストリームの中に配置され得るという知見である。実施形態は、オーディオ信号にとって典型的である信号操作に対して耐性を持つか又はロバストであり得る、オーディオ状のデジタル信号としてデジタル語のストリームを示す。その信号処理は、サンプリング周波数の変換、信号の増幅又は減衰、又はＤＣ（直流）オフセットであってもよい。例えばデジタル語のストリームがＡＥＳ３  ＰＣＭデジタルオーディオチャネルのような高次のストリーム内に配置され、そこではデジタル語のストリームを生成する符号器のサンプリング周波数が、ＡＥＳ３デジタルオーディオインターフェースのような、前記高次のストリームを生成する信号処理器のサンプリング周波数と異なる場合には、サンプリング周波数の変換が実行されてもよい。したがって、二次メディアデータを典型的なオーディオ信号として取り扱うことができ、よって、二次メディアデータは、例えばテレビ（ＴＶ）スタジオにおける特殊なハードウエアのような現状のシステムにおいて、多数のオーディオチャネルの１つに実装されてもよい。特殊な実施形態は、１６個のオーディオチャネルを含むＳＤＩビデオ信号であってもよく、その場合には１つのオーディオチャネルがメタデータ又は制御データのために使用される。ＳＤＩビデオ信号は、１つ以上のビデオチャネルを含んでもよい。オーディオチャネルはＰＣＭデジタルオーディオチャネルであってもよい。したがって、メタデータ又は制御データは、標準的なデジタルビットストリームに代えて、ＰＣＭデジタルオーディオチャネルについての典型的な信号操作に対してロバストである、ロバストなアナログ状デジタル信号として符号化されてもよい。現状のシステムは、現在の符号器及び復号器を以下に説明する符号器及び復号器に取り替えることにより、制御データ又はメタデータを含むよう拡張されてもよい。この取り替えは、比較的安価なソフトウエアの更新によって達成され得る。たとえ符号器及び復号器がハードウエアで実現されている場合でも、放送設備のような追加的（高価な）ハードウエアを変更せずに使用できる。
【００２５】
実施形態は、一次メディアデータについてのメタデータ又は制御データを含む二次メディアデータを符号化する符号器を示す。この符号器は、二次メディアデータを符号化して、デジタル語のストリームを取得するよう構成され、その符号化は、二次メディアデータのデジタル変調による変換、又はバンド制限を含む。さらに、符号器は符号化済み二次メディアデータをデジタル語のストリームとして出力するよう構成される。したがって、デジタル語のストリームは、デジタルオーディオストリームの典型的な処理に耐えられるように形成され得る。さらに、そのデジタル語のストリームはオーディオ状又はアナログ状のデジタルストリームとして設計され得るので、デジタルオーディオストリームを処理する手段であればそのデジタル語のストリームを処理することができる。
【００２６】
実施形態は符号化に関係している。その符号化は、デジタル変調によって冗長性を付加することを含む。デジタル変調、例えばパルス振幅変調は、デジタル語のストリームの１デジタル語当り二次メディアデータの２つ以上のビットが伝送されるようにしてもよい。さらに、符号器は、デジタル語のストリームがＰＣＭオーディオチャネルを介して伝送可能なように、デジタル語のストリームを出力するようにしてもよい。さらに、符号器は、デジタル語の追加的ストリームを出力してもよい。このデジタル語の追加的ストリームは一次メディアデータを表し、この追加的ストリームはデジタル語のストリームから分離されている。一次メディアデータはオーディオデータであってもよく、二次メディアデータはそのオーディオデータについてのメタデータ又はそのオーディオデータについての制御データであってもよい。したがって。符号器は、デジタル語の追加的ストリームが第１のオーディオＰＣＭチャネルを介して伝送可能であり、かつデジタル語のストリームが第１のオーディオＰＣＭチャネルとは異なる第２のオーディオＰＣＭチャネルを介して伝送可能であるように、デジタル語のストリーム及びデジタル語の追加的ストリームを出力してもよい。一次メディアデータを表す追加的ストリームのデジタル語の各々は、８ビットより大きく、３２ビットより小さな所定のビット数を有しても良く、デジタル語のストリームのデジタル語の各々もまた、所定のビット数を有しても良い。符号器はさらに、デジタル語のストリームがタイミング基準パターン又は振幅基準パターンを含むように、デジタル語のストリームを生成してもよい。
【００２７】
さらなる実施形態は、二次メディアデータの整列を示す。したがって、符号器が複数のビデオ画像の１つのシーケンスを表現する１つのビデオストリームを出力する際に、１つの所定のビデオ画像に関連する二次メディアデータの複数の制御データ又はメタデータが、その所定のビデオ画像に関連付けられる。この点は、ビデオ画像のシーケンスが任意のビデオ画像で又は連続的なビデオ画像の任意の間でカットされ得ること、及び後続するビデオ画像がこのビデオ画像に関連する制御データ又はメタデータを依然として含んでいることから、有利である。さらに、符号器は、デジタル語のストリームを、ビデオ画像のシーケンスの第１ビデオ画像に関連したデジタル語の第１ストリームとして出力してもよく、そのデジタル語のストリームを、ビデオ画像のシーケンスの第２ビデオ画像に関連したデジタル語の第２ストリームとして出力してもよく、ここで第１及び第２のデジタル語は互いに等しい。この点は、連続的なビデオ画像が同じメタデータ又は制御データを含む場合に、各ビデオ画像がそのビデオ画像に関連したメタデータ又は制御データを確実に含むようにできるので有利である。
【００２８】
さらに、実施形態は、デジタル語のストリームとしての符号化済み二次メディアデータを制御トラックとして出力し、かつ１５チャネルまでの一次メディアデータをオーディオトラックとして出力するための符号器を示しており、ここでは制御トラック及びオーディオトラックはＡＥＳ３標準に従って形成される。
【００２９】
さらなる実施形態は、デジタル語を生成するよう構成された符号器を示し、そのデジタル語は１２〜２８ビットを有するか、そのデジタル語が３０ｋＨｚ〜５５ｋＨｚの間のサンプリングレートでサンプリングされるか、そのデジタル語が７０〜１６０ｄＢのダイナミックレンジを有するか、又はＲＭＳフルスケールで−２０ｄＢの公称信号レベルを有する。その符号器は、３０ｋＨｚ〜５５ｋＨｚの間のサンプリングレートについて、二次メディアデータを帯域制限するために１５ｋＨｚ〜２７．５ｋＨｚの間の上側周波数を使用してもよい。
【００３０】
実施形態はさらに、マッパとストリームビルダとを含む符号器を示す。マッパは、第１のビット数（a first number of bits）を有するグループ化された二次メディアデータを、第１のビット数より大きな第２のビット数（a second number of bits）を有するデータ語へマッピングするよう構成されている。さらに、グループ化された二次メディアデータは、データ語の最上位ビット（most significant bit）又は最下位ビット（least significant bit）へとあるギャップを持って整列される。ストリームビルダは、１つの基準パターンと複数のデータ語とを使用して符号化済み二次メディアデータを表現するストリームを構築するよう構成されている。このことは、次のような利点がある。すなわち、前記ギャップはグループ化された二次メディアデータを、このギャップが含む各ビットについて最上位ビットに向かって約６ｄＢずつ（又は２の係数で）増幅することを可能にし、かつギャップが含む各ビットについて、データ語の最下位ビットに向かって約６ｄＢの（又は０．５の係数で）減衰を可能にするからである。したがって、増幅又は減衰が故意に又は偶発的に適用されたかどうかには関係がない。なぜなら、グループ化された二次メディアデータ（情報）のデータ語へのマッピングであって、グループ化された二次メディアデータの両端においてデータ語を得るためにパディングが適用されるマッピングにより、データ語の構造がビットシフト（最上位ビットへとシフトされる各ビットについて係数２による増幅、又は最下位ビットへシフトされる各ビットについて係数０．５による減衰）を可能にするからである。したがって、グループ化された二次メディアデータは破壊されず、増幅又は減衰がパディングより大きくなるまで有効性を維持する。
【００３１】
実施形態はさらに、二次メディアデータのビットストリームをグループ化して、グループ化された二次メディアデータを形成するためのグルーパを含む符号器を示す。さらに、その符号器は、一次メディアデータにおける基準振幅(reference amplitude)又は所定のタイミング時点（timing instant）を示す、基準パターンを生成するための基準信号生成部を有しても良い。ストリームビルダは、基準パターン又はデータ語を使用して、符号化済み二次メディアデータを表すデジタル語のストリームを構築してもよい。基準パターンは、一次メディアデータにおける基準振幅又は所定のタイミング時点を示してもよい。復号器における基準パターンの分析は、ストリームが符号器において符号化された後にデジタル語のストリームに対して適用された、増幅、減衰又はＤＣオフセットを復号器が計算することを可能にする。さらに、デジタル語のストリームのサンプリングレートは、一次メディアデータにおける所定のタイミング時点から決定されてもよい。
【００３２】
ストリームビルダはさらに、データ語又は基準パターンをローパスフィルタリングし、所定のサンプルレートの１サンプルより大きな長さを有するデジタル語を取得するフィルタを有しても良く、ここで、このデジタル語の振幅はデータ語又は基準パターンに従って重み付けされ、そのフィルタは所定のサンプルレートの各時点で連続的なデジタル語を合算し、デジタル語のストリームを取得するよう構成される。このフィルタを適用することは、二次メディアデータが通常のオーディオデータに比べてリサンプリングに対して脆弱であるため、有利である。つまり、このフィルタにより、二次メディアデータは、符号器と復号器との間、又は符号器に対する復号器の中で、適用されたリサンプリングステップに対する耐性を持つことが可能となり、かつ復号器期間中の必須のリサンプリングステップに対する耐性を持つことが可能となる。さらに、デジタル語のストリームはアナログであってもよく、リサンプリング期間中に大きな損失なくデジタル変換され得る。しかしながら、リサンプリングはデジタル信号からアナログ信号への変換と同じでなくてもよい。アナログ変換は、データをスミアし得るインパルス応答を持つフィルタを含む可能性があり、アナログ−デジタル変換はその信号に対して、何らかのアナログノイズ（熱的又は半導体生成ノイズ、ハム又は干渉等）と共に量子化ノイズを付加する可能性がある。本発明の概念を用いて生成された信号は、リサンプリング及びデジタル−アナログ変換に対する耐性を持つことができる。
【００３３】
追加の実施形態に従えば、フィルタはデータパルスの所定のサンプルレートの各時点でゼロ点を得るよう構成され、その１つのデータパルスはグループ化された二次メディアデータ又は基準パターンを含む１つのデータ語を有する。さらに、ストリームビルダは、基準パターン及び複数のデータ語を使用して、符号化済み二次メディアデータを表すストリームを構築するよう構成され、その場合、データパルスのゼロ点が追加のデータパルスの最大値に整列されて、符号化済み二次メディアデータを表すシンボル間干渉のないストリーム（inter-symbol-interference-free stream）を取得する。換言すれば、ナイキスト・フィルタリング済み信号は、復号器においてシンボル間干渉を受けずに復号化され得るので、ナイキストフィルタを使用することが有利である。換言すれば、ゼロのシンボル間干渉のためのナイキスト基準を満足するフィルタを使用することが有利である。この実施形態によれば、フィルタのカットオフ周波数は、一次メディアデータのサンプリング周波数の１．５倍未満であってもよい。
【００３４】
一実施形態によれば、基準信号生成部は、第１のビット数を持つグループ化された基準パターンを生成する。この基準信号生成部はさらにグループ化された基準パターンを、第１のビット数より大きな第２のビット数を持つデータ語へとマップするよう構成される。代替的に、マッパは第１のビット数を持つグループ化された基準パターンを、第１のビット数より大きな第２のビット数を持つデータ語へとマップする。様々な実施形態は、メタデータ又は制御データを含むデータ語のフォーマットを基準パターンに適用する選択肢について説明する。好適には、基準パターンは、二次メディアデータについて採られたメディア信号の増幅又は減衰に対する同じ措置が適用されるように、設計される。したがって、基準信号生成部は、マップされた二次メディアデータの形式で基準パターンを提供してもよく、このことは、基準パターンが第１のビット数を有し、第１のビット数より大きい第２のビット数を有する基準パターンであってかつ復号器及び符号器において既に説明したように最上位ビット及び最下位ビットへと同じギャップを持つ基準パターンへとマップされることを意味する。代替的に、基準信号生成部は第１のビット数を持つ基準パターンを出力する。二次メディアデータに従って、マッパは第１のビット数を有する基準パターンを第２のビット数を有するデータ語へとマップする。
【００３５】
実施形態はさらに、一次メディアデータについてのメタデータ又は制御データを有する符号化済み二次メディアデータを表す、デジタル語の受信されたストリームを有するメディア信号を復号化する復号器を示す。その復号器は、受信されたデジタル語によって表現された振幅に関して、デジタル語の受信されたストリームを操作し、又はリサンプリングすることによって、二次メディアデータを復元するよう構成される。復号器は、復元された二次メディアデータからビットストリームを導出するよう構成される。
【００３６】
実施形態はさらに、基準信号生成部、信号マニピュレータ、及び信号処理部を含む復号器を示す。基準信号分析部は、符号化済み二次メディアデータの基準パターンを分析し、その基準信号分析部は、基準パターンの振幅を決定し、又は一次メディアデータ内での所定のタイミング時点を決定するよう構成される。信号マニピュレータは、符号化済み二次メディアデータを分析された基準パターン及び計算された基準パターンに従って操作し、二次メディアデータを得る。信号処理部は、一次メディアデータを符号化済み二次メディアデータに従って処理し、復号化済みメディア信号を得る。このことは、符号化の間にメディア信号に対して適用された信号処理により、信号マニピュレータが、増幅のような典型的な信号操作から独立して、符号化済みメディア信号からメディア信号を正確に取り戻せるようになるので、有利である。
【００３７】
幾つかの実施形態によれば、信号マニピュレータは、基準パターンにおいて示された一次メディアデータの所定のタイミング時点にしたがって、デジタル語に関連するサンプルレートを、所定のサンプルレートへと変換し、リサンプル済みのデジタル語を取得するよう構成されたサンプルレート変換器を含む。この点は、オーディオサンプリングレートについての標準がメディアデータの処理の期間中にミックスされ得るので、有利である。オーディオデータとは対照的に、メタデータ又は制御データを有する二次メディアデータには冗長性又は依存性がないので、例えば４８ｋＨｚから４８．１ｋＨｚへの小さなサンプルレート変換であっても、二次メディアデータを破損する。換言すれば、二次メディアデータの連続的シンボルは、１サンプルの中で最高の可能な値から最低の可能な値まで変化し得る。このことは、二次メディアデータ内での強い変化に起因して非常に高い周波数をもたらす。
【００３８】
しかしながら、二次メディアデータとは対照的に、オーディオサンプルは典型的に帯域制限されており、このことはオーディオデータの変化はサンプリング周波数によって決定された最大周波数に制限されていることを意味する。
【００３９】
さらなる実施形態は、サンプルレートのサンプルの点から基準パターンにおける一次メディアデータの所定のタイミング時点を決定するよう構成されたタイミング時点決定部と、決定されたタイミング時点周りのある範囲をアップサンプルして所定のタイミング時点の正確な位置を決定するよう構成されたアップサンプラと、デジタル語のストリーム内でのデジタル語の正確な位置を決定し、所定のサンプルレートとは異なる、デジタル語に関連した実際のサンプルレートを取得するよう構成されたサンプリング・アキュムレータ（accumulator）と、を含む基準パターン分析部を示す。
【００４０】
実施形態はさらに、基準パターンの振幅及び計算された基準パターンの振幅に従って増幅ファクタ又は減衰ファクタを計算するよう構成されたゲインファクタ計算部を含む基準パターン分析部を示し、信号マニピュレータは、増幅ファクタ又は減衰ファクタに従ってデータ語を増幅させ又は減衰させ、ゲイン補償されたデータ語を得るよう構成された乗算器を含む。この点は、符号化済みメディア信号の増幅及び減衰が、符号器から復号器への転送の間に発生し得る大きな問題の１つであるから、有利である。上述の特性を持つチャネルに起因して、他のオーディオチャネルが故意に又は偶発的に増幅され又は減衰されるべきである場合に、増幅又は減衰が例えばイコライザにおいて故意に適用されてもよい。
【００４１】
さらなる実施形態によれば、デジタル語のストリームを含むメディア信号が示される。そのデジタル語のストリームは、一次メディアデータについてのメタデータ及び制御データを含む二次メディアデータを表している。
【００４２】
さらなる実施形態は、基準パターンの振幅と基準パターンの追加の振幅とを決定するよう構成された振幅検出部を含む、基準パターン分析部を有する。基準パターン分析部はさらに、基準パターンの振幅と基準パターンの追加的振幅とのドリフトに従って、符号化済み二次メディアデータのオフセットを計算するよう構成されたオフセット補償ユニットを有し、ここで、第２マニピュレータは、符号化済み二次メディアデータに計算された符号化済み二次メディアデータのオフセットを加算して、オフセット補償された符号化済み二次メディアデータを得る、加算器を含む。この実施形態の長所は、ゲインファクタ計算部の前述の実施形態と同様であり、オフセットは、例えば符号器と復号器との間のイコライゼーション処理の期間中、又は伝送チャネルによって生起されるドリフトから偶発的に、ゲインに代えて符号化済み二次メディアデータに対して適用されてもよい。
【００４３】
実施形態はさらに、第１のビット数よりも大きい第２のビット数を有するデータ語から、第１のビット数を有するグループ化された二次メディアデータをデマップするよう構成されたデマッパを備えた、信号マニピュレータを示す。追加的又は代替的に、信号マニピュレータは、第１のビット数を有するグループ化された二次メディアデータのグループ化を解除し、復号化済みメディアデータビットストリームを取得するアングルーパを備える。デジタル語はさらに、基準パターンと複数のデータ語とを含むフィルタリングされた二次メディアデータを含むデジタル語を有しても良く、二次メディアデータは、データ語の最上位ビット又はデータ語の最下位ビットに対してあるギャップをもって、データ語内にマップされる。さらに、基準パターンは、符号化済み二次メディアデータの基準振幅と一次メディアデータにおける所定のタイミング時点とを有してもよく、ここで複数のデータ語は二次メディアデータを含む。
【００４４】
実施形態は、一次メディアデータの追加のストリームを有するメディア信号を示し、その一次メディアデータはオーディオデータ又はビデオデータを有し、一次メディアデータを有する追加のストリームは、符号化済み二次メディアデータのストリームに対して、一次メディアデータの所定のタイミング時点において整列される。この点は、一次メディアにおけるタイミング時点が二次メディアデータの一次メディアデータに対する正確な整列を可能にするので、有利である。換言すると、オーディオ信号とメタデータ又は制御データとは、垂直帰線消去（vertical blanking）にあるビデオ信号のフレームに対して整列されてもよいし、又はビデオ信号の追加の同期信号に対して整列されても良い。さらに、タイミング時点は、二次メディアデータがそれに対して整列されるべき、オーディオ信号内の同期信号であってもよい。従って、二次メディアデータはまた、オーディオだけのストリームに適用されてもよい。このアイデアは、ビデオ信号の各フレーム内に、二次メディアデータの任意の情報を提供することである。二次メディアデータはビデオストリームがカットされている一次メディアデータ内のタイミング時点に整列されているので、二次メディアデータは変更されずに残り、無傷である。従って、ビデオフレームを含むビデオ信号がカットされていても、各ビデオフレームは二次メディアデータからの任意の情報を含み得る。
【００４５】
実施形態は以下の考察にしたがって発展され得る。従って、本発明の実施形態の利点は、ＰＣＭオーディオチャネルだけを提供する伝統的なクリエイティブかつ配信用の装置を介して、ＰＣＭ（パルス符号変調）デジタルオーディオ信号に付随する、静的及び動的な制御データ又はメタデータを運ぶ手段を提供することである。
【００４６】
このことは、オーディオ信号のための伝送手段として、ＰＣＭデジタルオーディオチャネルの基礎的性質を考慮することによって、達成され得る。そのようなオーディオ信号は、テレビ使用のために１６〜２４ビットのビット深さで、かつ４８ｋＨｚのサンプリングレートで標準的にデジタル化され、ＲＭＳ（平均二乗平方根）フルスケールで−２０ｄＢの公称信号レベルを持つ、９０〜１４０ｄＢの結果的なダイナミックレンジを有する。
【００４７】
よって、典型的なＡＥＳ３伝送チャネルを、これら特性を持つデジタル化された通信チャネルとして考慮した場合、デジタル通信において一般的に使用される変調技術が、チャネルを介して変調されたデータを送信するのに使用され得る。そのような技術は、ゲイン変化、適度な時間ベースの歪み、及び多くの場合、チャネルの周波数応答歪みに対して、通常は不感応である。
【００４８】
ＡＥＳ３  ＰＣＭデジタルオーディオチャネルは、デジタル通信に用いられるチャネルとは異なる。それは厳密にはデジタルチャネルであり、無線通信チャネルに典型的なマルチパス及び高速チャネルフェーディングからの影響を受けない。９０〜１４０ｄＢのダイナミックレンジが与えられた場合、ＡＥＳ３  ＰＣＭデジタルオーディオチャネルは、十分なキャリア対ノイズ比を提供するために、潜在的な伝送パワーにおいて実際上制限されない。ＳＤＩ（シリアルデジタルインターフェース）ビデオ信号に埋め込まれるなどして、ビデオシステムで使用された場合、切り替えが発生し得るビデオ垂直同期区間を避ける必要性に起因して、本来的にブロックする性質を有する。また、多くの通信システムとは異なり、ライブ放送を制作している場合には、リップ同期問題を避けるため、又はオーディオをモニタリングする中での困難さを避けるために、短い待ち時間（low latency）とする必要性がある。
【００４９】
オブジェクトオーディオについて必要とされる制御データ又はメタデータのスループット要件は、オブジェクトの数、オブジェクトが静的又は動的であるかどうか、及び使用された具体的なオブジェクトオーディオ標準、によって変化する。１つのそのような標準はＭＰＥＧ−Ｈオーディオ仕様、ＩＳＯ／ＩＥＣ２３００８−３である。この標準では、典型的な使用例は、ＭＨＡＳ（ＭＰＥＧ−Ｈオーディオストリーム（ＩＳＯ／ＩＥＣ２３００８−３の第１４章ＭＰＥＧ−Ｈ  ３Ｄオーディオストリームにおいて定義される）の仕様を１０−３０ｋｂ／ｓで使用したストリーミングパケット内に符号化されているメタデータ又は制御データを含む。
【００５０】
例えば、ＭＰＥＧ−Ｈオーディオシーンにおける各ダイナミックオブジェクトは、伝送のために１．５ｋｂ／ｓを必要とする。よって、１６個のダイナミックオブジェクトを持つプログラム（ＳＤＩインターフェースは埋込型オーディオの１６チャネルしかサポートしないという実用上の最大値が与えられている）は、約２５ｋｂ／ｓのデータを必要とする。オーディオシーンに関する静的なメタデータは、もしそれが各オーディオフレームの中で送られていた場合には、別の４０〜５０ｋｂ／ｓを必要とするであろう。
【００５１】
必要とされる潜在的ビットエラーレート（ＢＥＲ）は、次のファクタを考慮することによって推定され得る。すなわち、単一のビットエラーが１年に１度だけ作動中に許可された場合には、７５ｋｂ／ｓのビットレートを所与とすると、２．３６Ｅ１２ビットが１年に送られることになり、４．２Ｅ−１３のビットエラーレートが必要となる。しかしながら、制御データにおける情報は高度な冗長性を有する。殆どの場合、ビットエラーは基礎をなすＭＨＡＳプロトコルによって検出されるであろうし、制御データは周囲のパケットから補間されるであろう。代替的又は追加的に、ビットエラーをチェックするための例えば１６ビットを使用するＣＲＣ（巡回冗長検査）値もしくは他の適切な符号又はメカニズムが使用されてもよい。この場合には、１時間に１度だけのビットエラーが合理的な上限であろう。この後者の場合には、３．７Ｅ−９のＢＥＲを必要とするであろう。よって、この伝送スキームにとって合理的なＢＥＲは、１Ｅ−９及び１Ｅ−１２の間のＢＥＲを必要とする傾向があるであろうし、そのＢＥＲは、ＡＥＳ３デジタルオーディオチャネルにおいて利用可能な高い信号対ノイズ比を用いて容易に可能である。
【００５２】
通信チャネルのためのＢＥＲについての典型的な表現は、ここでは通用しない点に留意すべきである。なぜなら、このチャネルにおけるノイズは、厳密には、矩形又は可能であれば三角形（ディザーが適用される場合）の確率密度関数（probability density function）を有する量子化及びリサンプリングのノイズとなるからである。
【００５３】
サンプルレート変換（又はより正確には、非周期的に作動する複数のソース）によって導入された時間ベースのエラーは、１つの非周期的ソースとして作動している設備の各ピースにおいて用いられるクロックソースの正確さによって制限される。最もプロフェッショナルなテレビ設備は、高精度クリスタル、ＧＰＳ、又はルビジウム標準から生成されるクロック又は同期信号ソースを用いて作動し、典型的には０．１〜１．０ｐｐｍの最大周波数許容誤差を持つ。典型的な消費者設備は、３０ｐｐｍの周波数許容誤差を有するかもしれない。プロフェッショナルなテレビ設備に接続されたフィールド内で操作されている消費者設備の場合には、温度限界において作動する消費者設備の場合について幾分かの余裕をもって、１００ｐｐｍの許容誤差が安全に仮定されてもよい。
【００５４】
よって、本発明を制御データ又はメタデータを伝送する目的で適用する上で、ＭＰＥＧ−Ｈオーディオ標準の一般的な使用のために必要となる、設計仮定及び目標の可能なセットは、以下の通りである。
【００５５】
【表１】
2019193268.tif 000003
【００５６】
本発明の好ましい実施形態のさらなる目的は、オーディオ符号化技術者による実装及び手直しを容易にすることであり、その技術者は知覚オーディオ符号化において使用されるブロック構築）に精通しているが、データ通信について一般的な実装技術については経験を持たない可能性がある者である。
【００５７】
２４ｋＨｚのチャネル帯域と１６ｋｂａｕｄの設計シンボルレートとを想定した場合、ＡＳＫ又はＰＳＫのような単純な伝統的変調技術は適切ではないであろう。少なくとも５ｂ／ｓ／Ｈｚの符号化効率を提供する変調が使われるであろう。
【００５８】
当業者は、デジタル通信のための一般的に使用される幾つかの変調技術が、これら設計仮定及び目標を満足するであろうと分かるであろう。例えば、６４ＱＡＭＳ（６４シンボルのアルファベットを用いた直角位相振幅変調）は、６ｂ／ｓ／Ｈｚの符号化効率を提供するので、それを使用することは可能であろう。しかしながら、ＱＡＭ復調器を実装することは、搬送周波数及びシンボルクロックを復元するために、中程度に複雑な信号処理を通常必要とし、その処理は、オーディオ符号化技術者にとっては不慣れなデジタル位相ロックループ（ＰＬＬ）の使用を含む、そのようなＰＬＬは、ループの不安定性を避けるためにループフィルタ又はアキュムレータの調整作業を必要とし、過渡又は切り替えの後で信号を安定的に獲得するために幾らかの時間を必要とする。
【００５９】
ここで示された望ましい実施形態は、ＰＬＬを必要としない代替手段として、３２ＰＡＭ（３２レベルを持つパルス振幅変調）を使用し、かつオーディオ符号化において一般に用いられる信号処理機能を使用するある設計を提供する。ＰＡＭは、ＱＡＭで必要とされた３ｄＢに比べ、符号化効率の各増分について、信号対ノイズ比において６ｄＢ増加を必要とするが、このシステムでは信号対ノイズ比は固有に高く、その一方でＰＡＭ受信器の設計及び手直しコストは比較的低い。
【００６０】
前述の実施形態の全ては、例えばテレビ装置において全体として又はその組合せとして示されることができ、そこでは符号器が、ビデオ信号を対応するオーディオ信号及びメタデータ又は制御データ（二次メディアデータ）を用いて、例えば第１のサンプリング周波数で符号化し、さらに復号器が制御実例（例えばモニタリング装置）又は放射実例に対してメディア信号を消費者へ伝送する前に適用されてもよい。
【００６１】
添付図面を参照しながら、以下に本発明の実施形態をより詳細に説明する。
【図面の簡単な説明】
【００６２】
【図１】テレビ設備内における符号器及び復号器のシステムの概略ブロック図を示す。
【図２】一実施形態に係る、二次メディアデータを符号化する符号器の概略ブロック図を示す。
【図３】他の一実施形態に係る、二次メディアデータを符号化する符号器の概略ブロック図を示す。
【図４】一実施形態に従い、メタデータ又は制御データビットストリームを受け取り、それを１６ビット、４８ｋＨｚＰＣＭオーディオチャネルにおける伝送のためにフォーマットされた３２ＰＡＭ信号として符号化する、本発明の送信機部分の概略な概念ブロック図を示す。
【図５】メディア信号を復号化する復号器の概略ブロック図である。
【図６】一実施形態に係る復号器の概略ブロック図を示す。
【図７】一実施形態に従い、１６ビット、４８ｋＨｚＰＣＭオーディオチャネルからのＰＣＭデータを受け取り、埋め込まれた３２ＰＡＭ信号をメタデータ又は制御データビットストリーム内へと復号化する、一実施形態に係る受信機部分の概略な概念ブロック図を示す。
【図８ａ】一実施形態に係るメディア信号の概略表現を示す。
【図８ｂ】他の実施形態に係るメディア信号の概略表現を示す。
【図８ｃ】５ビット３２ＰＡＭ信号シンボルの、１６ビットＰＣＭオーディオチャネルサンプル語内への、一実施形態に従うマッピングを示す概略図を示す。
【図９】一実施形態に係るビデオ機器の垂直同期信号とＰＣＭオーディオチャネル内の符号化済みメタデータ又は制御データとの間のタイミング関係を示す概略波形図である。
【図１０ａ】０．９８のロールオフファクタを有するレイズドコサイン型フィルタを時間連続的な表現で示す。
【図１０ｂ】０．９８のロールオフファクタを有するレイズドコサイン型フィルタを時間離散的な表現で示す。
【図１１ａ】０．７のロールオフファクタを有するレイズドコサイン型フィルタを時間連続的な表現で示す。
【図１１ｂ】０．７のロールオフファクタを有するレイズドコサイン型フィルタを時間離散的な表現で示す。
【図１１ｃ】隣接するフィルタ機能同士間で２つのサンプル分だけオフセットして整列された状態で、図１１ｂの図を１列内に３回示す図である。
【図１２ａ】一実施形態に係るストリームの一実施形態に係る時間連続的な表現における概略表現を示す。
【図１２ｂ】図１２ａ内で既に提示されたストリームの一部を拡大バージョンで示す。
【図１２ｃ】一実施形態に係るストリームの一実施形態に係る時間離散的な表現における概略表現を示す。
【図１２ｄ】図１２ｃ内で既に提示されたストリームの一部を拡大バージョンで示す。
【図１３】基準パターンと複数のデータ語を使用して、二次メディアデータを表現しているストリームを含むメディア信号を復号化する方法の概略フロー図を示す。
【図１４】符号器を用いてメディア信号を符号化する方法の概略フロー図を示す。
【図１５ａ−１】固定モードにおけるシステムの概略図の一部を示す。
【図１５ａ−２】固定モードにおけるシステムの概略図の残部を示す。
【図１５ｂ−１】制御トラックモードにおけるシステムの概略図の一部を示す。
【図１５ｂ−２】制御トラックモードにおけるシステムの概略図の残部を示す。
【発明を実施するための形態】
【００６３】
以下に、本発明の実施形態をより詳細に説明する。各図において同一又は同等な機能を有する要素は、以下の説明では同一の参照番号によって示されている。
【００６４】
実施形態は、デジタルオーディオ信号に付随するオーディオ信号メタデータ又は制御データの簡便で信頼性のある送信を提供する。メタデータ又は制御データは、プロフェッショナルなオーディオ又はビデオの制作又は配信の設備、及び通常のデジタルオーディオチャネルを通じたネットワークにおける配信について、典型的な伝送劣化の耐性を持つ信号へとデジタル的に変調又は符号化されるか、又はそのチャネルはデジタルビデオ信号の中に埋め込まれる。メタデータは、オンスクリーンディスプレイ、ビデオフレーム内のオブジェクトの位置、異なるオーディオチャネルについての例えばドイツ語、英語、フランス語などの言語情報についての記述を含んでもよい。制御データは、正確な復号化パラメータを適用するために、オーディオチャネルの符号化に関する情報を含んでもよく、又は制御データは、より高次のアンビソニックスを解釈するためのパラメータ又はオーディオ信号を復号化するための任意の他の情報を含んでも良い。しかしながら、メタデータ又は制御データは多くの他の目的のために使用され得る。デジタル媒体においては、本質はアセットの基礎をなすコンテンツであり、メタデータはそのアセットについて記述するデータである。従って、上述の実施例は本発明の範囲を限定するものではない。
【００６５】
図１は符号器と復号器とを含むデータ処理システム４００の概略ブロック図を示す。特に図１は、符号器を含む３２ＰＡＭ変調器３と、復号器を含む３２ＰＡＭ復調器９とを示す。また、二次メディアデータ１２５と、一次メディアデータ９０ａ（例えばオーディオエッセンス信号）と、さらには一次メディアデータ９０ｂ（例えばビデオ信号）とを含むメディア信号１５５を、一実施形態に従って示す。このシステムはテレビスタジオの一部であってもよく、オーディオ制御データ又はメタデータビットストリームを含む二次メディアデータが、オーディオエッセンス信号の中に含まれており、従って各ビデオフレームのためのビデオ信号に対して整列されている。従って、テレビスタジオ内において、符号化済みビデオ信号は、モニタリングユニットを使用して、つまり符号化済みメディア信号を復号化する復号器を使用して、検査され得る。更に、メディア信号は、消費者に対して送信されるべき最終的なメディア信号を準備するためのチャネル符号化と更なる処理操作との前に、二次メディアデータを使用して復号化されてもよい。この最終的なメディア信号は、二次メディア信号をもはや含んではいない。
【００６６】
より一般的には、一実施形態によれば、データ処理システムは、デジタル語のストリームを操作してデジタル語の操作済みのストリームを取得する、信号マニピュレータを含み、その場合、復号器はデジタル語の操作済みのストリームからデジタル語のストリームを復元するよう構成されている。信号マニピュレータは、振幅増幅もしくは振幅減衰、オフセット導入もしくはオフセット変化、周波数選択的な減衰もしくは増幅、又はリサンプリングによって操作してもよい。更に、復号器は、振幅増幅もしくは振幅減衰、オフセット導入もしくはオフセット変化、周波数選択的な減衰もしくは増幅、又はリサンプリングによって操作されたデジタル語のストリームを、復元できる。更に、信号マニピュレータは、ＰＣＭオーディオチャネルを受信することができ、ＰＣＭオーディオチャネルを出力することもでき、その場合、符号器はＰＣＭオーディオチャネルを通じて送信可能な信号を出力するよう構成されており、復号器は送信されたストリームをＰＣＭオーディオチャネルから受信するよう構成されている。
【００６７】
換言すれば、図１は、プロフェッショナルなオーディオもしくはビデオの制作もしくは配信設備又はネットワークの環境内における、本発明の好ましい一実施形態の動作を示す。オーディオ周辺装置又はワークステーション１は、エッセンス信号（又は一次メディアデータ）として言及される１つ以上のデジタルオーディオ信号の発信源であり、そのオーディオ周辺装置又はワークステーションを発信源とするエッセンス信号を、関連する制御データ又はメタデータ信号（二次メディアデータ）から区別している。
【００６８】
制御データ又はメタデータのビットストリームは送信部３に入力され、その送信部３はそのビットストリームを、ＡＥＳ３又はＨＤ-ＳＤＩチャネルの通常のチャネル障害に耐え得るであろう３２ＰＡＭ変調済みＰＣＭサンプルなどの形態へと変換する。そのサンプルと、１つ以上の任意選択的なオーディオエッセンス信号とが、次にＡＥＳ３デジタルオーディオインターフェース４へと送られる。このインターフェースの出力は、埋込部５によりＨＤ-ＳＤＩビデオ信号内へと埋め込まれ、埋込部５は、サンプルレート変換を適用して、ＡＥＳ３クロックの位相及び周波数を、ＨＤ-ＳＤＩビデオ信号のクロック及び同期信号と整列させてもよい。このビデオ信号は、次に配信のためにＳＤＩベースのテレビ設備又はインフラストラクチャ６を介して、第２のオーディオ周辺装置又はワークステーション２へと配給される。それらのデジタルオーディオ信号は、ＨＤ-ＳＤＩ信号からデ・エンベッダ７により抽出されて、ＡＥＣ３ビットストリームとしてＡＥＳ３デジタルオーディオインターフェース８へと送られる。制御データ又はメタデータ情報（符号化済み二次メディアデータ）を含むＡＥＳチャネルに対応するＰＣＭデータは、受信機９へと送られる。受信機９は復号器５０を含み、その復号器は、３２ＰＡＭ又は類似の変調済み信号をオーディオ制御データ又はメタデータのビットストリーム８５'へと復号化し、そのビットストリームは復号化されたメディア信号８５の一部であってもよい。更に、図６に示す信号処理部７０は、符号化済み二次メディアデータに従って一次メディアデータ（オーディオエッセンス信号）を処理して、符号化済みメディア信号を取得する。
【００６９】
図２は、一次メディアデータについてのメタデータ又は制御データを含む二次メディアデータを符号化するための符号器１００の概略ブロック図を示す。この符号器は、二次メディアデータ８０を、冗長性付加(adding redundancy)又は帯域制限を使用して符号化するよう構成されている。符号器は、符号化済み二次メディアデータを、デジタル語のストリーム１４５として出力するよう更に構成されている。好ましい一実施形態において、冗長性は、ゼロパディング又は符号拡張(sign-extension)により付加されてもよい。他の実施形態はチェックサム又は冗長性コードを使用してもよい。更なる実施形態は、帯域制限された二次メディアデータ又は帯域制限された二次メディアデータのグループを有してもよく、それらは任意選択的に、付加された冗長性を有してもよく、又は有しなくてもよい。帯域制限は、信号、より具体的には符号器のアウトバウンド信号（outbound signal）に対し、（ローパス）フィルタを適用することで実行されてもよく、そのアウトバウンド信号は、グループ化又はマップされた二次メディアデータであってもよい。更なる実施形態によれば、符号器はデジタル語を生成するよう構成され、それらデジタル語が１２〜２８ビットを有するか、それらデジタル語が３０ｋＨｚ〜５５ｋＨｚの間のサンプリングレートでサンプリングされているか、又はそれらデジタル語が７０〜１６０ｄＢのダイナミックレンジを有するか、若しくはＲＭＳ（二乗平均平方根）フルスケールで−２０ｄＢの公称信号レベルを有している。符号器はまた、３０ｋＨｚ〜５５ｋＨｚの間のサンプリングレートについて、二次メディアデータを帯域制限するために１５ｋＨｚ〜２７．５ｋＨｚの間の上側周波数を使用するよう構成されてもよい。
【００７０】
図３は、メディア信号を符号化するための符号器１００の概略ブロック図を示す。符号器１００はマッパ１１５とストリームビルダ１２０とを含む。マッパ１１５は、第１のビット数を有するグループ化された二次メディアデータのグループ１３０を、第１のビット数よりも多い第２のビット数を有するデータ語１４０へとマップするよう構成されている。グループ化された二次メディアデータは、データ語の最上位ビット又は最下位ビットへとギャップを用いて整列される。ストリームビルダは、符号化済み二次メディアデータを表現するデジタル語のストリームを構築するよう構成されている。更なる実施形態によれば、符号器は、二次メディアデータのビットストリームであってもよい二次メディアデータ８０をグループ化して、グループ化された二次メディアデータ１３０を形成するよう構成されたグルーパ１０５を含む。更に、符号器は、一次メディアデータにおける基準振幅又は所定のタイミング時点を示す基準パターンを生成するよう構成された基準信号生成部１７を有しており、ストリームビルダ１２０は、その基準パターン６０又はデータ語１４０を使用して、符号化済み二次メディアデータ５５を表現するデジタル語のストリーム１４５を構築するよう構成されている。従って、両方の信号、即ち基準パターン１３５とデータ語１４０とが、符号化済み二次メディアデータを表現するデジタル語のストリーム１４５を構築するよう構成されたストリームビルダ１２０へと入力されてもよい。
【００７１】
図４は、一実施形態に係る符号器１００の概略ブロック図を示す。この実施形態では、符号器１００は、データ語又は基準パターンをローパスフィルタ処理して所定のサンプルレートの１サンプルより大きな長さを含むデータパルスを取得する、フィルタ１５を含み、そのデータパルスの振幅はデータ語又は基準パターンに従って重み付けされ、そのフィルタは、サンプルレートの各時点において連続的なデータパルスを合計するよう構成されている。更に、フィルタは、データパルスの所定のサンプルレートのサンプル毎にゼロ点を取得するよう構成されている。そのデータパルスは、グループ化された二次メディアデータ又は基準パターンを有するデータ語を含む。ストリームビルダは、基準パターン及び複数のデータ語を使用して、データパルスのゼロ点が更なるデータパルスの最大値と整合するように、符号化済み二次メディアデータを表現するストリームを構築することで、符号化済み二次メディアデータを表現するシンボル間干渉（ＩＳＩ）のないストリームを取得する。換言すれば、復号器がデータ語又はデジタル語のストリームをシンボル間干渉又はエイリアシング問題なしでリサンプルできるようにする、ナイキストフィルタを使用することが有利である。図１１ｃは、フィルタ処理済みデータ語とそれらデータ語の３個からの例示的なストリームの構築とを表す実施形態を示す。実施形態によれば、フィルタは、一次メディアデータのサンプリング周波数の１．５倍よりも小さいカットオフ周波数を有する。
【００７２】
図４には、マッパ１１５が図示されていない点に留意されたい。しかし、レジスタ１４とフィルタ１５との間にマッパが設けられてもよく、又は、それらブロック又は機能の内の１つの一部であってもよい。
【００７３】
換言すれば、図４は、本発明の好ましい実施形態の送信機部分の概念的動作を示している。オーディオ制御データ又はメタデータビットストリームは一時記憶用にバッファ１０へと入力され、垂直同期１６０又は他の処理動作の間に、送信されるデータへの割り込みを可能にする。ビットストリーム１２５は５ビットの語へと並列化されて、概念的レジスタ１１によりバッファから伝送される。レジスタの出力は次に、符号器１２によりグレイコード値へと符号化される。垂直同期信号１６０が活性化している場合を除き、符号器１２の出力はレジスタ１４へと入力される。レジスタ１４の出力は２の補数の二値数として受け取られ、これが図８ｃに示すように符号拡張され、かつ１６ビットのデータ語へとマップされ、パルス整形フィルタ１５内へと入力される。そのフィルタは、シンボル間干渉を防止するため、シンボル期間においてそのインパルス応答内にsin(x)/x nullsを示す、理想的にはナイキスト型フィルタである。そのようなフィルタはデジタル通信理論では周知である。例えば、０．７５に設定された過剰帯域幅(excess bandwidth)パラメータを有するレイズドコサイン・パルス整形フィルタが、適切なフィルタとなり得るであろう。フィルタ１５の出力は、次に更なる伝送手段へと供給されて、ＰＣＭオーディオチャネル内にオーディオサンプルとして含まれ、ＳＤＩビデオ信号内に埋め込まれる。その処理は、例えば４８ｋＨｚの（ＰＣＭ）サンプルクロック９９により駆動されてもよい。
【００７４】
ビデオ信号の垂直同期期間(vertical sync interval)の間に、概念的スイッチ１３が、グレイ符号器１２の出力の代わりに、基準信号生成部１７の出力を送信用に選択する。この期間中にはバッファ１０からデータは何も読み出されない。基準信号生成部１７は、ゼロのシンボル値を出力するので、垂直帰線消去期間(vertical blanking interval)の間は、ゼロの定常ＰＣＭ値となる。垂直帰線消去期間の最後には、基準信号生成部は、コード０ｘ０Ｆの８個のシンボルを出力し、次にコード０ｘ１１の８個のシンボルを出力し、その後、スイッチ１３がグレイ符号器１２の出力へと切り戻され、バッファ１０からのデータの読み出しが始まる。このような方法で（例えばフィルタ１５でのスケーリングを使用して）、図９に示す１６ビットの符号付きの２の補数ＰＣＭ信号が生成され、その信号は、垂直帰線消去期間にはゼロの値を有し、次に値０ｘ０７８０の８シンボル幅の正のパルス４１が続き、次に値０ｘｆ８８０の８シンボル幅の負のパルス４２が続く。このように、パルス４１と４２は、正と負の振幅基準と、シンボルエッジにおける強い遷移とを形成し、受信機内においては、送信された３２ＰＡＭ信号のオリジナルの振幅及び位相を復元するためにそれが使用され得る。
【００７５】
図５は、一次メディアデータについてのメタデータ又は制御データを含む符号化済み二次メディアデータ５５を表現するデジタル語の受信されたストリーム１４５を有する、メディア信号１５５を復号化するための復号器５０の概略ブロック図を示す。この復号器５０は、デジタル語の受信されたストリームの、受信されたデジタル語により表現された振幅に関する操作を使用して、又はリサンプリングを使用して、二次メディアデータを復元するよう構成されており、復号器は、復元された二次メディアデータからビットストリーム１２５'を導出するよう更に構成されている。復号器は、受信されたデジタル語の操作をして二次メディアデータを復元するために、伝送の前にデジタル語のオリジナル振幅又は所定のタイミング時点を知っていてもよい。
【００７６】
図６は基準パターン及び複数のデータ語を使用して符号化済み二次メディアデータを表現するストリームを含むメディア信号を復号化する、復号器５０の概略ブロック図を示す。復号器５０は、基準パターン分析部６０と信号マニピュレータ６５と信号処理部７０とを有する。基準パターン６０は符号化済み二次メディアデータの基準パターンを分析するよう構成されており、基準パターン分析部６０は、一次メディアデータ内の基準パターンの振幅を決定するか、又は所定のタイミング時点を決定するよう構成されている。信号マニピュレータ６５は、符号化済み二次メディアデータ５５と基準パターン分析部６０の分析済み基準パターン７５とを受信する。信号マニピュレータ６５は、分析済み基準パターン７５及び計算された基準パターンに従って符号化済み二次メディアデータ５５を操作して、二次メディアデータ８０を取得するよう構成されている。メディアデータ、例えばデータ語は、信号マニピュレータに対して個別に送信されてもよく、又は、メディアデータは、基準パターン分析部を介して信号マニピュレータに対して直接的に送信されてもよい。信号処理部７０は、二次メディアデータ８０を受信し、かつこの二次メディアデータ８０に従って一次メディアデータ９０を処理して、復号化済みメディア信号８５を取得するよう構成されている。
【００７７】
メディア信号は、以下の説明において、特に図８〜１２に関して具体的に説明する。実施形態によれば、符号化済み二次メディアデータはパルスコード変調（ＰＣＭ）されており、そのデータ語の中にパルス振幅変調（ＰＡＭ）されたシンボルを含んでいる。ＰＣＭ変調された符号化済み二次メディアデータを取得するため、データ語はＰＣＭ変調されてもよい。
【００７８】
図７は一実施形態に係る復号器５０の概略ブロック図を示す。ここでは、基準パターン分析部６０と信号マニピュレータ６５とが示される。
【００７９】
実施形態は、基準パターンの振幅と計算された基準パターンの振幅とに従って、増幅又は減衰ファクタを計算するよう構成されたゲインファクタ計算部９４を含む、基準パターン分析部６０を示す。更に、信号マニピュレータ６５は、符号化済み二次メディアデータを前記増幅又は減衰ファクタに従って増幅又は減衰させ、ゲイン補償された符号化済み二次メディアデータ９５を取得するよう構成された乗算部２７を含む。従って、基準パターン分析部６０は、基準パターンの振幅を決定するよう構成された振幅検出部２０を更に含み得る。しかし、基準パターンの振幅は基準パターンの既知の振幅と比較されて、ゲインファクタを取得してもよい。この方法は好ましくはＤＣ-freeのために、換言すればゲイン補償された信号を用いて作動する。従って、図７の実施形態は、減算部２４を使用して基準パターン内の正の振幅と基準パターン内の負の振幅とを減算すること、及び振幅間の既知の差とその振幅間の計算された差との小数部を計算することによって、増幅又は減衰ファクタを取得するさらなるゲイン計算方法を提案する。
【００８０】
実施形態は、基準パターンの振幅と基準パターンの追加的振幅とを決定するよう構成された振幅検出部２０を含む、基準パターン分析部６０を示し、その基準パターン分析部は、基準パターンの振幅と基準パターンの追加的振幅とのドリフトに従って、符号化済み二次メディアデータ５５のオフセット９６ａを計算するよう構成されたオフセット補償ユニット９６を更に含む。信号マニピュレータ６５は、符号化済み二次メディアデータのオフセットを符号化済み二次メディアデータに加算して、オフセット補償された符号化済み二次メディアデータ９７を取得するよう構成された加算部を更に含む。前記ドリフトは、基準パターンの（正の）振幅と基準パターンの（負の）追加的振幅とを加算することで計算されてもよい。前記オフセットは、又は実施形態に従えば、そのオフセットの２分の１は、減算部２６によって符号化済み二次メディアデータ５５から減算され、オフセット補償された符号化済み二次メディアデータ９７を取得してもよい。
【００８１】
換言すれば、図７は本発明の好ましい実施形態の受信機部分の概念的操作を示す。ＳＤＩビデオ信号（一次メディアデータ）から抽出（de-embedded）されたＡＥＳ３のＰＣＭオーディオデータ（二次メディアデータ）５５は、基準振幅検出部２０へと入力され、この検出部は、基準パターン１３５（図７参照）におけるパルス期間４１中とパルス期間４２中のＰＣＭオーディオ信号の中央の４個のサンプルを平均化する。これは、垂直同期信号１６０に基づくか、又は代替的な実施形態においては垂直同期信号１６０と到来しつつあるＰＣＭ値の検査との組合せに基づいて、タイミング回路を使用して実行され、基準パターン１３５におけるパルス４１の立ち上り(leading edge)を検出してもよい。パルス４１の平均振幅はこのようにレジスタ２１内に記憶され、パルス４２の平均振幅は同様にしてレジスタ２２内に記憶される。レジスタ２１及び２２の出力は、オリジナル信号のゼロレベルを決定するために加算され、減算部２６へと入力される。その減算部２６は信号から如何なるＤＣオフセット９６ａをも除去する。レジスタ２１及び２２の出力は、２つのパルス４１及び４２のピーク間の振幅を決定するために、減算部２４によって減算される。この振幅は機能ブロック２５へと入力され、そのブロック２５は、乗算部２７の出力においてオリジナルＰＣＭ信号値がほぼ生成されるように、減算部２６の出力を正規化する乗算部２７へと適用されるべき適切なゲインファクタ９４ａを計算する。ここで説明するそのような機能は、tri-level同期検出器及びsync-trip制御ＡＧＣ（自動ゲイン制御）機能のデジタル構成として、アナログテレビシステム設計の分野に精通する当業者にとっては、熟知したものと言えるであろう。
【００８２】
機能２０，２１，２２，２３，２４，２５，２６，２７の動作により、符号器（図４参照）内の送信フィルタ１５の出力において作成されたＰＣＭ信号（ストリーム）１４５の正確な値が理想的にはリストアされるであろうが、他方、算術操作における丸め誤差やパルス４１及び４２のリンギング又は他の劣化により、乗算部２７の出力がフィルタ１５において生成された信号を近似するだけとなる可能性もある。このような誤差は、基準パターンにおけるパルス４１と４２の４個の中央サンプルを平均化することにより、かつ十分なサイズのＰＣＭ値を使用することにより、低減され、その結果、そのような近似誤差が後述するようにシンボル決定に対して相当な影響を与えないようになる。
【００８３】
追加的に、図８ｃに示すようなＰＣＭ値へのシンボルの割り当てにより、送信されたＰＣＭ信号の４ビット又は凡そ２４ｄＢまでの増幅が可能になり、また、４ビット又は凡そ２４ｄＢの同様の減衰が可能になる一方で、３個のＬＳＢを丸め誤差又は信号の劣化のためのマージンとして維持できる。
【００８４】
更なる実施形態によれば、信号マニピュレータ６５はサンプルレート変換部２８を含み、その変換部２８は、基準パターン１３５内に示された一次メディアデータの所定のタイミング時点に従って、デジタル語１４０に関連するサンプルレートを所定のサンプルレートへと変換し、リサンプリング済みのデジタル語を取得する。換言すれば、受信された基準パターンは、特異なシーケンス、例えば２つのパルス間のゼロ交差を含んでもよく、その場合、送信前のオリジナルシーケンスは復号器により既知となっている。復号器は、そのゼロ交差の位置の正確な分析に基づいて、送信前のデジタル語のストリームのサンプルレートと、そのデジタル語のストリームの受信後のサンプルレートとの間の差を計算できる。その差は、送信前のデータ語のオリジナルサンプルレートを使用してデジタル語のストリームを復号化するために使用され得る。
【００８５】
実施形態の基準パターン分析部は、１つのサンプルレートのサンプルに関して基準パターン内の一次メディアデータの所定のタイミング時点を決定するよう構成されたタイミング時点決定部３２と、決定されたタイミング時点の周辺領域をアップサンプリングしてそのタイミング時点の正確な位置を決定するよう構成されたアップサンプラ３３と、デジタル語のストリーム内の複数のデジタル語の正確な位置を決定して、所定のサンプルレートとは異なるデジタル語に関連する実際のサンプルレート９２を取得するよう構成されたサンプリング・アキュムレータ３４と、を更に含む。
【００８６】
注意すべきは、実施形態によれば、一次メディアデータの所定のタイミング時点は、基準パターンの正の振幅と基準パターンの負の振幅との間のゼロ交差として示されることであり、一次メディアデータ内の同期信号が基準パターンの正の振幅よりも前に送られたことを示している。従って、基準パターン分析部はタイミング時点決定部３２内でゼロ交差を発見するよう構成されている。アップサンプラ３３は、ゼロ交差の前のサンプルとゼロ交差の後のサンプルとの間の領域をＮ回アップサンプリングするよう構成されている。このように、２つのサンプルの値が取得され、ゼロに最も近い２つのサンプル間のＮ個の値の１つの値が、現在及び後続の基準パターンのために取得される。サンプリング・アキュムレータ３４は、基準パターンと後続の基準パターンとの間のサンプルレートを計算し、又は、換言すれば、符号化済み二次メディアデータ内のそれらサンプルに対応する時点を計算し、その時点では、現在のシンボルの値が、例えば符号器内の符号化済み二次メディアデータのナイキスト・フィルタリングにより、シンボル間干渉なしに取得可能となる。従って、サンプルレート変換部２８は、計算された所定のタイミング時点、又はサンプリング・アキュムレータ３４の実際のサンプルレート９２に従って、符号化済み二次メディアデータをサンプリングするよう構成されている。
【００８７】
換言すれば、図７は実施形態に係る受信機部分の概念的ブロック図を示し、その受信機部分は、１６ビットの４８ｋＨｚＰＣＭオーディオチャネルからＰＣＭデータを受信し、埋め込まれた３２ＲＡＭ信号１４５を実施形態に係るメタデータ又は制御データビットストリームへと復号化するものである。乗算部２７の出力において、正規化されたＰＣＭデータからＰＡＭシンボルを復元するために、そのデータは、シンボル間干渉を防止するため、シンボル期間の中央に対応する時点でサンプリングされなければならない。これは次のような方法で達成される。即ち、乗算部２７の出力が機能ブロック３２へと入力され、このブロック３２は検出器２０及びレジスタ２１，２２の機能と同様に作動し、ブロック３３に対して、基準パターンのパルス４１と４２との間のゼロ交差において発生し乗算部２７により出力された、正規化されたＰＣＭ信号のＰＣＭ値を出力する。
【００８８】
機能ブロック３３はこれら２つのＰＣＭ値を受け取り、以下の線形関数のｙ切片を計算するための一般的な代数式を計算する。
【数１】
2019193268.tif 000004
ここで、Ｘnはゼロ交差から左側のサンプルの値であり、Ｘn+1はゼロ交差から右側のサンプルの値である。このように、１つのサンプル期間のＮ個の区分（subdivisions）のうちのどの区分において、ＰＣＭサンプルにより表現された波形のゼロ交差が発生しそうであるかが決定され得る。この好ましい実施形態の場合には、Ｎは１６に等しく設定されるが、Ｎの選択は、以下に説明するように、増大するシンボルサンプリング精度とフィルタ２８に関する追加的フィルタ係数を記憶する必要性との間の技術的妥協点である。更なる実施形態によれば、Ｎは１２８又は２５６に設定される。他の値もまた同様に、適切となり得る。
【００８９】
アキュムレータ３４とサンプリング／補間フィルタ(interpolating filter)２８との組合せが、シンボル期間の中央に近い時点で乗算部２７からの入力信号をリサンプリングするために使用される。アキュムレータ３４は、非特許文献１７に記載のようなＤＤＡ（デジタル差分分析器）と類似するフラクショナル・アキュムレータ(fractional accumulator)として機能し、また、デジタル位相同期ループ設計及びダイレクトデジタル周波数シンセサイザにおいて使用される位相アキュムレータと類似している。
【００９０】
この場合、アキュムレータ３４は、機能ブロック３３により計算されたゼロ交差の区分番号（subdivision number）を用いて初期化され、次にシンボル期間の半分により増分され、これはこの場合では１６ｋｂａｕｄのシンボルレートについて４８ｋＨｚクロックの１．５サンプルであり、これにより、アキュムレータ位置がシンボルの端からシンボルの中央へと移動する。アキュムレータ３４は、次に各サンプルクロックについて１．０により増分され、その小数ビット（ｌｏｇ２  Ｎ）が補間フィルタ２８の位相、例えばポリフェーズＦＩＲ補間フィルタバンクを選択する。システム３４と２８とは、非特許文献１６に記載のものと同様なサンプルレート変換部を形成する。ポリフェーズフィルタの一手法の設計が、非特許文献１６内に示されている。
【００９１】
次に、アキュムレータ３４から小数部分のキャリーアウトがある各クロック周期において、フィルタ２８の出力は各受信されたシンボルの中点サンプルを含むであろう。サンプリング・アキュムレータ３４のそのようなキャリーアウトがあると、レジスタ２９はシンボルを蓄積することができ、そのシンボルは次に機能ブロック３０へと入力され、そのブロック３０は１６ビット値を丸め操作を用いて７ビット右シフトさせて、送信されたシンボルを復元する。次に５個の低いビットがグレイコードから復号化されて、出力バッファ３１に蓄積される。その後、バッファ３１のコンテンツは、受信されたオーディオ制御データ又はメタデータビットストリーム（例えば二次メディアデータ１２５のビットストリーム）として利用可能となる。
【００９２】
上述したアキュムレータ３４の作動の結果として、各垂直同期パルスの後で送られたパルス４１と４２からのタイミング基準だけに基づいて、シンボルサンプリング位相が調整される。このことは、入来するシンボルとローカルシンボルサンプリングクロックとの間の位相誤差を修正する一方で、如何なる周波数誤差をも完全に修正するものではないことは、当業者にとって理解できるであろう。上述の設計目標を用いれば、送信機時間ベースにおける１００ｐｐｍの周波数誤差は、垂直同期区間の直前のデータペイロードの最端部においてサンプルクロックの０．１５のサンプル誤差又はシンボル幅の０．０５０のサンプル誤差をもたらすであろう。
【００９３】
この誤差は、アキュムレータ３４の増分に対してある周波数項目(frequency term)を追加することにより、更に減少され得る。そのような項目は、アキュムレータの小数部分と垂直同期期間に続いてそれが初期化されるべき値とを比較することにより計算され得る。これら値のこの差は、次に、最後の垂直同期期間からの近似的又は正確なサンプルクロック数により除算されることができ、サンプリング・アキュムレータ３４を増分するために使用された１．０値へと加算され得る。このような方法で、周波数誤差の影響の大半が除去できる。
【００９４】
更なる実施形態によれば、信号マニピュレータは、第１のビット数よりも多い第２のビット数を有するデータ語から、第１のビット数を有するグループ化された二次メディアデータをデマップするよう構成された、デマッパ２９を含む。追加的又は代替的に、信号マニピュレータは、第１のビット数を有するグループ化された二次メディアデータのグループ化を解除して、二次メディアデータの復号化済みビットストリーム１２５'を取得するよう構成された、アングルーパ３１を含み、その復号化済みビットストリームは、二次メディアデータ８０のビットストリーム表現であり、よって二次メディアデータ１２５のビットストリームを表現している。
【００９５】
図８〜図１２は符号化済み二次メディアデータの実施形態を示し、データ語がＰＡＭ符号化されており、（ナイキスト）フィルタ１５への適用がＰＣＭ信号をもたらすことを示している。
【００９６】
図８ａは一実施形態に係るメディア信号１５５の概略表現を示す。メディア信号は、符号化済み二次メディアデータ５５を表現するデジタル語のストリーム１４５を有し、符号化済み二次メディアデータは一次メディアデータについてのメタデータ又は制御データを含む。
【００９７】
図８ｂは、他の実施形態に係るメディア信号１５５の概略表現を示す。メディア信号は、基準パターン１３５と複数のデータ語１４０とを使用して符号化済み二次メディアデータ５５を表現するストリーム１４５を含み、複数のデータ語は二次メディアデータを含む。更に、符号化済み二次メディアデータは、データ語の最上位ビット又は最下位ビットに対するギャップを持って複数のデータ語へとマップされる。実施形態によれば、基準パターン１３５とデータ語１４０とはフィルタリングされて、デジタル語１４２が導出されるか、又はより正確には、デジタル語のストリーム１４５が導出される。
【００９８】
基準パターンは、好ましくはデータ語１４０と同じ構造を有する。つまり、二次メディアデータ１２５のビットストリームは基準パターン１３５を含み、これが（グループ化された二次メディアデータに従って）グループ化済み基準パターンへとグループ化され、データ語１４０のようなデータ語へと形成される。これは例えば図４に示す符号器１００内の均一な処理をもたらすことができ、ここで、スイッチ１３は、基準パターン１３５と一次メディアデータのメタデータ又は制御データとの間を切り替えるよう構成されている。換言すれば、第１の実施形態において、二次メディアデータは、グループ化済み基準パターンと一次メディアデータのメタデータ又は制御データとを含む。第２の実施形態においては、基準パターンは二次メディアデータから独立している。基準パターンとメタデータ又は制御データとの処理は、任意選択的に合同して又は互いに別個に行い得るため、この区別は有利である。更に、復号化されたメディア信号８５又は二次メディアデータの復号化されたビットストリーム１２５'は、例えば丸め誤差に関して、二次メディアデータ５５の符号化済みビットストリームと理想的には同一、又は少なくとも類似している。
【００９９】
実施形態は、符号化済み二次メディアデータの基準振幅と、一次メディアデータの所定のタイミング時点とを含む、基準パターン１３５を示す。更なる実施形態によれば、メディア信号は一次メディアデータの追加のストリームを有し、その一次メディアデータはオーディオデータ又はビデオデータを含む。一次メディアデータを含む追加のストリームは、一次メディアデータ内の所定のタイミング時点において、符号化済み二次メディアデータのストリームに対して整列される。一次メディア９０ａ又は９０ｂは、基準パターン内で例えばゼロ交差１６５により表現されるタイミング時点４０を含む。
【０１００】
図８ｃは、一実施形態に係るデータ語１４０の概略表現を示す。グルーパは、二次メディアデータのビットストリームを５個のビット（例えばビット７〜ビット１１）を有するグループ化済み二次メディアデータ１３０へとグループ化し、マッパは、そのグループ化済み二次メディアデータを最上位ビット（例えばビット１２〜１５）へと符号拡張１３０ａするよう構成され、即ち、グループ化済み二次メディアデータの最初のビット（ビット１１）がビット１５〜１２へとパディングされることを意味し、マッパは更に、ゼロを有する最下位ビット（例えばビット６〜０）１３０ｂへとギャップをパディングする。更なる実施形態は、８個のビットを含む二次メディアデータを示す。左又は右へのパディングは、このようにして全体で３ビット減少されて、１６ビットのデータ語が得られる。異なる長さの二次メディアデータ若しくはデータ語、又は別のサイズのパディングなど、他の組合せもまた実現可能である。更に、基準パターンは、その基準パターンがデータ語１４０と同じ構造を有するように、処理されてもよい。
【０１０１】
図９ａは一次メディアデータ１６０内のタイミング時点４０を示し、例えば垂直帰線消去期間又はビデオフレーム内の追加の同期点を示す。有利なことに、同期部分４０は、ビデオフレーム内の適切な時点であって、ビデオフレームのストリームをカットするための適切な位置を示している。これは垂直帰線消去期間であってもよく、又は、例えばビデオフレームにおいてビデオストリームの切断が実行され得る所定のライン（例えばライン７）であってもよい。従って、２つの連続的な同期パルス間の距離は１つのフレームである。１フレームは８００又は８０１個のオーディオサンプルを有してもよく、その結果、各ビデオフレームにつき約３００個のデータ語と追加的な基準パターン、バージョン番号、連続性指標（continuity counter）、巡回冗長検査(cyclic redundancy check)又は更なるオーバーヘッドがもたらされる。
【０１０２】
図９ｂは、基準パターンと複数のデータ語とを使用して符号化済み二次メディアデータを表現しているストリーム１４５の概略表現を示す。図９ｂは図９ａと整列されているため、基準パターン１３５はタイミング時点４０によって駆動されることが分かる。従って、この実施形態によれば基準パターンの振幅４１と４２の間のゼロ交差である所定のタイミング時点１６５は、一次メディアデータの同期信号１６０におけるタイミング時点４０を示す。基準パターンの第１振幅４１は、０ｘ０７８０ＨＥＸの振幅を有してもよく、基準パターンの第２振幅４２は０ｘｆ８８０ＨＥＸの値を有してもよい。基準パターンの第１及び第２の振幅の隣接部はゼロでパディングされてもよく、又は、更なる実施形態によれば、ゼロパディングが基準パターンの一部であってもよい。基準パターンが処理された後で、ストリームビルダはデータ語１４０をデータペイロードコンテナ４３へと適用する。更なる実施形態は、ペイロードコンテナ４３内の追加部分を示し、そこでは、例えばチェックサム、パリティビット、巡回冗長検査のようなビット誤差修正を実行するために冗長性が適用される。基準パターン１３５及びデータ語１４０はフィルタリングされて、ストリーム１４５を形成するデジタル語１４２が取得されてもよい。
【０１０３】
続く図１０〜図１２はフィルタ１５、ストリームビルダ１２０、及びストリーム１４５をより詳細に示す。図１０ａは、ロールオフファクタ＝０．９８を持つレイズドコサイン型フィルタを示し、図１０ｂは、あるサンプリング周波数に従ってサンプリングされたレイズドコサイン型フィルタを示す。図から、０．９８のロールオフファクタを持つレイズドコサイン型フィルタは、インパルスのエネルギーの略全てを、３個の中央サンプル１８０ａと１８０ｂとに置くことが理解できる。しかし、追加のための使用済みの１３個のサンプル、又はより詳細にはゼロとは異なる７個だけの係数が存在する可能性がある。しかしながら、それら３個の中央サンプルだけを使用することはまた、エイリアシング問題又はシンボル間干渉なしに、符号化済みシンボルの良好な再構築を可能にするであろう。
【０１０４】
図１１ａ及び図１１ｂは、ロールオフファクタ０．７を有するレイズドコサイン型フィルタ機能１５'を、時間連続的表現（図１１ａ）及び時間離散的表現（図１１ｂ）で示す。図１１ｃは、図１１ｂの図を３回並べて示し、それらはデータパルス１５'であり得る連続的なフィルタ機能の間に２個のサンプル分のオフセットを有して整列されている。フィルタ機能又はデータパルス１５'は、（二次メディアデータの１個のシンボルを表現している）マッピング済み二次メディアデータ又は基準パターン（のシンボル）を用いて変調たとえば乗算されており、各々がデータ語１４０又は基準パターンの（ＰＣＭ変調された）シンボルを表現している。パラメータは、レイズドコサインフィルタの離散的表現の各２番目のサンプルがゼロになるように、選択される。従って、２つの隣接するパルスはサンプル２個分の距離を持って配置され、各パルスの中央は、他の全てのパルスがゼロと交差している位置にある。このような概念は変調プロセスにとってかなり簡素であり、また復調にとっても簡素であり、このとき、中央サンプルを検査することは、タイミング誤差及びゲイン誤差についての補償を含む。送信後のデジタル語のクロック偏差、又はオリジナルサンプリング周波数と実際のサンプリング周波数との間の差が十分に低い場合、復号器内でのシンボル復元は、ソースサンプリング周波数を計算することなく実行され得る。更に、振幅値が少数であることは、復号器におけるサンプルレート変換なしのシンボル復元にとって有利である。しかし、クロック偏差の修正から独立して位相補償を適用することは、有利であり得る。
【０１０５】
各サンプル（頂上部から底部まで）の値の加算により、デジタル語のストリーム１４５がもたらされる。更に、振幅、又は換言すれば各サンプルの値は、データ語１４０又は基準パターンのシンボルによって重み付け（例えば乗算）され、これはパルス振幅変調として見られ得る。これらの図式は、実施形態に従い、基準パターン及びデータ語へと適用される。更に、一秒当たり２４０００個のシンボルと２５６個の振幅値（８ビット）又は３２個の振幅値（５ビット）とを用いて示される実施形態は例示的なものであり、本発明の範囲を限定するものではないことに注意されたい。他のシンボルレートも可能であり、二次メディアデータを含むストリームのゼロ交差においてシンボルを挿入するためのサンプルレート変換を使用するより低いシンボルレート及びより高いシンボルレートも、振幅ステップについての他の解決策と同様に可能である。
【０１０６】
図１２は一実施形態に係るストリーム１４５の概略表現を示す。図１２ａは、フィルタリング済み基準パターン１３５及びフィルタリング済みデータ語１４０を含むストリーム１４５の、時間連続的な表現の概略図を示す。更に、第２基準パターン１３５ａが示され、これは信号フレーム内の正確なタイミング復元を達成するために、任意選択的にフレームの末尾において適用され得る。従って、第２同期シンボル（又は基準パターン）１３５ａは、第１同期シンボル１３５よりも僅かに低い振幅を持つ可能性があり、更に、その第１同期シンボル１３５は、他の全てのシンボルよりも高い振幅を含む可能性がある。そのように、第１の同期シンボルを探索することは非常に効果的である。更に、データ語は、誤差検出を可能にするための１つ以上の冗長性ビットを含み得る。図１２ｂはストリーム１４５を拡大バージョンで示す。図１２ｃは、図１２ａに示す信号と類似する信号をあるサンプルレートのサンプルにおける時間離散形式で示す。更に、図１２ｄは、図１２ｂに示す信号と類似する信号を時間離散形式で示す。
【０１０７】
図１３は、基準パターンと複数のデータ語を使用して二次メディアデータを表現しているストリームを含むメディア信号を復号化する方法の概略フロー図を示し、その方法１１００は、復号器を用いて二次メディアデータを復元するステップ１１０５を含み、その復元は、受信されたデジタル語のストリームを、受信されたデジタル語により表現される振幅に関して操作すること、又はリサンプリングを使用することを含み、また方法１１００は、復元された二次メディアデータからビットストリームを導出するステップ１１１０を含む。
【０１０８】
図１４は符号器を用いてメディア信号を符号化する方法１２００の概略フロー図を示す。その方法１２００は、冗長性付加又は帯域制限を使用する符号器を用いて二次メディアデータを符号化するステップ１２０５と、符号化済み二次メディアデータをデジタル語のストリームとして出力するステップ１２１０とを含む。
【０１０９】
［好ましい一実施形態の構成の考察］
上述した実施形態は、ソフトウエアにおける一連のコンピュータ命令として、又はハードウエア構成要素において実装可能である。ここで説明された操作は、典型的にはコンピュータＣＰＵ又はデジタル信号プロセッサによるソフトウエア命令として実行され、図示されたレジスタ又はオペレータは、対応するコンピュータ命令によって実行されてもよい。しかしながら、このことは、ハードウエア構成要素を使用する等価のハードウエア設計における実施形態を排除するものではない。更に、本発明の操作は、ここでは逐次的で初歩的な方法で示されている。当業者には、それらの操作は、特定のハードウエア又はソフトウエア上で実装されたときの効率を最適化するために、結合され、変換され、又は事前計算されてもよいことが理解できるであろう。
【０１１０】
［オーディオ専用システムのための代替的な実施形態］
分散した垂直同期を持たないオーディオ専用のシステムにおいて、送信機内の垂直同期信号を同等の局所的に生成された信号によって置換することにより、また、パルス４１と同じパルスを生成するであろうシンボルパターンからレジスタ１１に入力されたデータビットストリームを畳み込み符号化又は他の手段を介して保護することにより、本発明はさらに利用可能となる。その場合、基準振幅検出部２０は、パルス４１の検出により、受信機において局所的同期信号を再生成するよう修正されてもよい。
【０１１１】
更なる実施形態において、図１のブロック３の出力におけるストリームのようなオーディオ状のデジタルストリームを取得するためのビットのストリームとして提供されるオーディオメタデータについての変調は、相互に代替的に、又は相互に追加的に、複数の処理を含んでもよい。特に、図１内のブロック３により出力されかつ図１内のブロック４に入力されるストリームは、例えばＰＣＭ値のシーケンスであり、例えばＣＤに蓄積される１６ビット又は３２ビットのＰＣＭ値などである。当然ながら、制御データ又はメタデータビットストリームは、あるビットストリームシンタックスを有し、メタデータビットストリーム内の複数のビットから成る実際のデジタル語は、典型的には可変の長さを有するであろう。しかし、ブロック３、又は一般的には、オーディオ制御データ又はメタデータからオーディオ状のデジタルストリームを生成する処理は、そのストリームから第１のビット数をグループ化するためのグルーパを含む。つまり、これは例えば、メタデータビットストリームから５ビットのシーケンスが取り出されることを意味する。次に、その第１のビット数、即ち５ビットにより表現される状態が決定される。この状態は３２個の状態の１つである。次に、一実施形態において、その状態は第２のビット数により表現され、その第２のビット数は第１のビット数よりも大きい。この第２のビット数における表現は、例えば１６ビットの表現又は３２ビットの表現にもなり得る。しかしいずれの場合でも、第２のビット数は第１のビット数よりも大きく、その結果、ある種のロバスト性又は冗長性がその表現内に導入される。第２のビット数により表現される状態は、全てその第２のビット数からなるデジタル語の１つのシーケンス内へと書き込まれ、この書き込みは１回だけ実行されるか、又は更に冗長性を増大させるために、２回以上連続的に実行される。好ましくは、この状態は、シーケンス内へと２回、３回又はそれ以上の回数で連続的に実行され、その結果、この実施形態により生成されるオーディオ状のデジタルストリームは、常に同じ複数の値からなる１つのグループが同じ複数の値からなる別のグループを後続して持つような階段状の形状を有し、これらの値の高さ又は状態は、所定個数の状態のうちの１つでしかなく、例えば可能性のある３２個の異なる状態のうちの１つでしかない。但し、それら別個の値が例えば５ビット値で表現されるのではなく、１６又は３２ビット値で表現されている。代替的に、第１のビット数へとグループ化すること、及び、その第１のビット数を２回以上連続的にデジタル語のシーケンス内へと書き込むこと、即ち所定回数繰り返すことにより、所定の冗長性が既に取得されている。
【０１１２】
適用された冗長性に依存して、即ち第１のビット数よりも大きい第２のビット数を有することによる冗長性に依存して、及び／又はその状態を所定回数繰り返すことによる冗長性に依存して、受信機側における再生の色々な方法が実行され得る。例えば、１種類の繰り返しが実行される場合、例えば後続の同一であるべき３個の値が取り出され、値はそれら２又は３個の値により表現される値であると宣言するような決定が実行される。このようにして、多数決がなされ得る。
【０１１３】
代替的又は追加的に、特に第１のビット数よりも多い第２のビット数を用いる実施形態が適用された場合、即ち例えば５ビット状態が１６ビットにより表現された場合には、多数決に加え、若しくはその決定のための追加的な材料として、又はその多数決の代わりに、オリジナル値を発見するため又は再生するため、ローパスフィルタリング又は平均値計算などが実行され得る。
【０１１４】
本発明の伝送信号又は符号化済み信号は、デジタル記憶媒体上に記憶されるか、又はインターネットのような無線伝送媒体又は有線伝送媒体などの伝送媒体によって伝送され得る。
【０１１５】
実施形態は、メタデータ又は制御データのための別のＰＣＭチャネルを示し、本質的なオーディオ信号（又は一次メディアデータ）が十分な品質と分解能を持って伝送されることを可能にする。更に、制御データ又はメタデータ信号は、ゲイン変化、時間ベースの誤差、リサンプリング、一次信号に対する遅延の変化など、ＰＣＭオーディオ信号の典型的な劣化に耐え得ることができる信号へと変換され得る。更に、実施形態は、符号化されていない又は圧縮されていない本質的な信号を用いる、好ましいが排他的ではない場合でも、作動可能である。
【０１１６】
以下に好ましい実施形態を説明する。
【０１１７】
新たなＭＰＥＧ−ＨベースのＴＶオーディオシステムは、テレビ放送に対して３つの主要な新たな特性をもたらすであろう。「ＭＰＥＧ−Ｈ」はＭＰＥＧ−Ｈ標準，ＩＳＯ／ＩＥＣ２３００８−３のパート３を意味し、ＭＭＴトランスポート，ＨＥＶＣビデオ符号化などと関係する他の部分とは関連性がない可能性もある。より具体的には、ＭＰＥＧ−Ｈオーディオコーデックに基づくＭＰＥＧ−Ｈオーディオアライアンスにより開発された新たなＴＶオーディオシステムと関連する。３つの主要な新たな特性とは以下の通りである。
・消費者が異なるオーディオプレゼンテーションを選択できるようにする双方向性。例えばあるスポーツイベントにおいて地元チーム又はアウェイチームの解説を選択する場合、又は１つのプログラム内の特別なオーディオ要素−例えば会話や音声効果−を消費者の好みに合わせて音量アップ又はダウンさせる場合など。
・ハイトチャネルを追加し、ＭＰＥＧ−ＨのＭＰＥＧ−Ｈ高次アンビソニックスモードを使用し、又はリスナーの上方の静的にパンニングされたオブジェクトを使用することによる、サウンドの臨場感を高める没入型サウンド。
・マルチプラットフォーム適応(Multi-platform Adaption)。今日のＴＶサウンドとは異なり、ＭＰＥＧ−Ｈシステムは再生を適応させるので、装置及び環境の領域に合わせた、即ちスピーカを備えた静かなホームシアターから小型イヤホンを用いた地下鉄又は空港での再生に合わせた、最高品質のサウンド再生が得られるであろう。
【０１１８】
これらの特性は放送者又はコンテンツ配信者の制御下となり、例えば追加的な言語、プレーヤ、公式マイクロホン、又は、アライアンスが実証したようにレースにおけるピットクルー無線への車を効率的に追加する能力など、新たな創造的機会を提供するであろう。
【０１１９】
ＭＰＥＧ−Ｈオーディオシステムは、未修正のＨＤ−ＳＤＩ埋込オーディオチャネルに対して働きかけるので、各ステーションは、それら内部の機構又は操作手順を変化させることなく、それらの選択に応じてＭＰＥＧ−Ｈオーディオ特性を実装し始めることができる。放送者がＭＰＥＧ−Ｈを採用する際に考慮すべき４段階の処理を以下のように提案する。
１．ＭＰＥＧ−Ｈオーディオを使用したステレオ及びサウンドプログラミングの伝送。これにより放送者は、如何なる操作上の変化もなく、ＭＰＥＧ−Ｈオーディオのビットレート効率性及び新たなモバイルオーディオ特性を取得できるであろう。
２．追加的言語又は代替的解説のためのオーディオオブジェクトの追加。これにより、視聴者は、Hear Your Home Team（登録商標）オーディオや、彼らの好みのレースドライバの無線を聞くことができるようになり、また視覚的描写などの指令されたアクセス特性を提供できる。
３．ハイトチャネル、高次アンビソニックスモード、又はリスナーの上方の静的にパンニングされたオブジェクトを追加することによる、サウンドの臨場感を高める没入型サウンドの追加。
４．ダイナミックオーディオオブジェクトの追加。位置に固定された静止オブジェクトとは対照的に、ダイナミックオブジェクトは、ビデオの動きを追跡するように又はクリエイティブな効果を提供するように、時間にわたって移動する。サウンド効果がパニングされるべき場合には、例えばダイナミックオブジェクトは、５又は９チャネルの静止オブジェクトを送る場合と比較して、必要なビットレートを減少させることができる。
【０１２０】
ＭＰＥＧ−Ｈのためのライブプロダクション及びプレイアウト：２つの手法
今日のテレビ装置において、ライブ又はリアルタイムのビデオ信号は、埋め込まれたオーディオの１６個までのチャネルをサポートするＨＤ−ＳＤＩインターフェースを使用してトランスポートされている。例示的なシステムは、これらのチャネルをプログラムのチャネル、オブジェクト、及び他のオーディオ要素のために直接的に使用するよう設計されている。
【０１２１】
図１５は、一実施形態に係るＭＰＥＧ−Ｈ配信システムの概略図を示し、ここでは、図１５ａは固定モードを示し、図１５ｂは制御トラックモードを示す。上述した１〜３段階について、固定のチャネルマップ又はランダウンと固定のメタデータ符号化を使用する伝統的手法（図１５ａ参照）が使用可能である。この手法は理解され易いという利点があり、オーディオが使用されないか少数のルーチンオブジェクトだけが使用される場合、操作の変化を殆ど必要としない。この手法は固定モードと称されるが、外部的制御の下で符号器設定を変化させるためにプリセットが使用され得る。
【０１２２】
図１５ａで示される固定モードは、基本的に、モニタリングモードで操作され得るＭＰＥＧ−Ｈオーディオモニタリング及びオーサリングユニット２００を示す。そのモニタリング及びオーサリングユニット２００に入力されるのは、１６個までのオーディオチャネルを含むＨＤ−ＳＤＩ信号のような、埋め込みオーディオ２０５を有するビデオである。ＭＰＥＧ−Ｈオーディオモニタリング及びオーサリングユニット２００は、ウエブベースの制御インターフェース２１０を使用するよう構成されてもよく、そのインターフェースはチャネル割当て及びオーディオパラメータのための固定のプリセットを設定する。ＭＰＥＧ−Ｈオーディオモニタリング及びオーサリングユニット２００の出力は、遠隔制御２１５であり、その遠隔制御はモニター制御部２２０と統合型ラウドネス機器２２５とを含む。ウエブベースの制御インターフェース又はリモートコントロール（又はその両方）は、ＭＰＥＧ−Ｈオーディオモニタリング及びオーサリングユニット２００に対し、インターネットプロトコル接続２４０を介して接続されてもよい。更に、ＭＰＥＧ−Ｈオーディオモニタリング及びオーサリングユニット２００は、接続２３５を使用してスピーカ（図示せず）へと接続されてもよい。
【０１２３】
ＨＤ−ＳＤＩ信号２０５は、ビデオ符号器２５０とＭＰＥＧ−Ｈ符号器２５５とを含むビデオ／ＭＰＥＧ−Ｈオーディオコントリビューション又は配信符号器２４５へと入力される。ＭＰＥＧ−Ｈ符号器には、ウエブベースの制御インターフェース２１０及びインターネットプロトコル接続２４０を使用して、チャネル割当て及びオーディオパラメータのための固定プリセットが供給される。ビデオ符号器２５０とＭＰＥＧ−Ｈ符号器２５５との出力は、トランスポートマルチプレクサ２６０へと入力される。マルチプレクス済み信号２６５は、例えばインターネットプロトコル（ＩＰ）又はデジタルビデオ放送非同期式シリアルインターフェース（ＤＶＢ／ＡＳＩ）を使用して、配信又は伝送される。
【０１２４】
ビデオ／ＭＰＥＧ−Ｈオーディオコントリビューション又は配信復号器２７０は、マルチプレクス済み信号２６５を受信し、トランスポートデマルチプレクサ２７５はそのマルチプレクス済み信号２６５をデマルチプレクスする。そのデマルチプレクス済み信号はビデオ復号器２８０及びＭＰＥＧ−Ｈ復号器２８５へと入力されて、１６チャネルまで含む埋込オーディオを有するビデオ信号２０５の復号化済みバージョン２０５'を形成する。復号化済みバージョン２０５'に適用される更なるオーディオ処理は、ＨＤ−ＳＤＩビデオ信号２０５における送信前のオーディオ信号の処理と同様であり得る。
【０１２５】
一実施形態によれば、ある代替的手法、即ち制御トラックモード（図１５ｂ参照）が開発された。これはオーディオチャネルの１つ、通常はチャネル１６の上に配置された制御トラックを使用する。この制御トラックは一次メディアデータについてのメタデータ又は制御データを含み得る。
【０１２６】
図１５ｂに示された概略ブロック図は、図１５ａの概略ブロック図と比較すると、少しの変化が見られる。まず、ＭＰＥＧ−Ｈオーディオモニタリングユニット２００はオーサリングモードで作動し、これによりモニタリングユニット２００が制御トラックを生成して、例えば１５チャネルまで含む埋め込まれたオーディオを有するビデオのチャネル１６内へと、その制御トラックを挿入できるようになる。その１６番目のチャネルは制御トラックのために残っていた可能性もある。制御トラックを生成するためのチャネル割当て及びオーディオパラメータは、ウエブベースの制御インターフェース２１０により設定され得る。１５オーディオチャネルまで含む埋め込まれたオーディオを有するビデオ信号と、生成された制御トラック２０５''の更なる処理は、図１５ａの信号処理と類似している。しかし、チャネル割当てとオーディオパラメータは、制御トラックから読み出され、例えばウエブインターフェースを使用して適用される必要はない。
【０１２７】
制御トラックは垂直同期に対して同期され、容易なビデオ編集及び切り替えを可能にし得る。制御トラックはちょうど縦の時間コード信号のように作動するよう設計されている。それはＰＣＭオーディオチャネルの通常の処理に耐え得るであろうが、しかし、レイヤＩＩコントリビューションコーデックのような圧縮されたオーディオチャネルを介して十分に伝送されることはできない。このような状況に対し、ＭＰＥＧ−Ｈオーディオコントリビューション符号器が使用され得る。その符号器は、オーディオチャネルを伝送用に圧縮し、かつ制御トラックをＭＰＥＧ−Ｈオーディオビットストリーム内で搬送されるメタデータ内へと変換する。
【０１２８】
制御トラック
・符号器によって必要とされる、以下を含む全てのコンフィグレーション情報を含む。
・・チャネルマップ又はランダウン
・・オブジェクト名又はラベル
・・オブジェクトグループ及び制御制限
・・プログラム基準レベル（ＭＰＥＧ技術における「dialnorm」）、ダウンミックスゲイン及びＤＲＣプロファイル
・・ダイナミックオブジェクトについての位置情報
・ルーティング、プロダクション又はマスター制御スイッチャ内で切り替えられ得る。
・フレームシンクロナイザ及び他の端末機器を通過するであろう。
・ビデオ編集部又はオーディオワークステーション内で他のオーディオトラックと一緒に編集され得る。
・オーディオコンソールを他のトラックと共に通過するであろう。
・ビデオプログラムスイッチ又は編集部と適合するため、符号化済み又はモニタリング済みオーディオのフレーム正確性のある遷移を提供する。
・制御トラックチャネルの「データモード」又は「非オーディオモード」処理のためのコンフィグ装置を必要としない。
【０１２９】
制御トラックは、オーディオチャネル内でコンテンツと一緒に搬送されており、手動のプログラミングや装置内で他の機構を修正する必要もなく、ＭＰＥＧ−Ｈオーディオ符号器の全てのパラメータの自動的な設定を提供する。符号器は制御トラック情報をＭＰＥＧ−Ｈオーディオメタデータ内へと翻訳し、そのメタデータは符号化済みビットストリーム内でＭＰＥＧ−Ｈオーディオ復号器へと伝送される。この操作モードは制御トラックモードと呼ばれている。
【０１３０】
プロフェッショナルの復号器は、コントリビューション又はトランスミッションのモードであって受信されたメタデータから制御トラック信号を再構築するモードか、又は、エミッションモードであって消費者の復号器が行うのと同様にそのオーディオチャネルを再現するモードか、において操作され得る。
【０１３１】
制御トラックは、ライブプログラムのためのオーディオオペレータにより使用されるオーディオモニタリング及びオーサリングユニットにより生成されてもよい。記録されたコンテンツを取り入れる目的で、リアルタイムダビングの間に制御トラックを追加するためにＨＤ−ＳＤＩ信号がオーディオモニタリング及びオーサリングユニットを通過させられてもよく、又は、ファイルベースの機構が使用されて、その制御トラックをＱｕｉｃｋＴｉｍｅ／ＭＰ４ＦＦ又はＭＸＦなどの一般的なファイルフォーマット内へと挿入してもよい。当然ながら、オーディオモニタリング及びオーサリングユニットはまた、ＭＰＥＧ−Ｈオーディオ復号器の活動をシミュレートするためにモニタリングの間に制御トラックを使用する。
【０１３２】
制御トラックは他の任意のオーディオチャネルと同様に編集され得るので、様々なチャネル割当て又は様々なオブジェクトを用いたプログラミングが、編集部において、アイテムを編集タイムライン上に落とすことだけで結合され得る。
【０１３３】
制御トラックを使用することは、１つのオーディオチャネルがオブジェクト又はチャネルのために利用できなくなることを意味しているが、しかしまた、ダイナミックオブジェクトを使用する可能性を開くことも意味する。サウンド効果などのパニング済みサウンドにとって、１つの単一チャネルダイナミックオブジェクトを用いて行われる得る効果を創造するために、（複数の）静止オブジェクトの複数のチャネルが必要とされ得る。
【０１３４】
制御トラックの手法は、一放送日の期間中に使用される（複数の）ＭＰＥＧ−Ｈオーディオモードにおいて、十分な柔軟性を可能にする。１つのステレオベッドと２つの会話オブジェクトとが、十分な没入型７．１＋４Ｈサウンドにおけるプログラム挿入による割り込みを受けるようなショウ番組、又は更には高次アンソビニックスであってステレオ又は５．１サラウンドにおけるコマーシャル休憩が点在するような番組を作ることは容易に可能である。
【０１３５】
１つの新たな可能性として、主要言語における広告に耳を傾けることでより快適さを感じるデモグラフィクスを含めるようにコマーシャルの到達範囲を広げる能力が挙げられる。可能な最大広範囲の視聴者に届くように意図されたローカルスポットは、広告者により選択された複数の言語におけるボイスオーバー又は会話を有し得る。例示的なシステムの好ましい言語特性は、放送された場合に視聴者が好む言語でコマーシャルを提供し、また、その言語が存在しない他のプログラミング又はコマーシャルについてはデフォルト言語へと自動的に切り戻すであろう。
【０１３６】
主にネットワーク中断及び接続オペレーションの期間中に、コンテンツ遷移に対する所定の制限を伴うが、制御トラック信号を持つ新たなコンテンツと制御トラック信号を持たないレガシーコンテンツとの混合を有することは可能である。例えば、ＭＰＥＧ−Ｈオーディオ符号器とＭＰＥＧ−Ｈオーディオモニタリング及びオーサリングユニットとは、現状の装置が典型的に使用するような、−２４ＬＫＦＳ（フルスケースに対するラウドネス、Ｋ−重み付き）の固定ラウドネスと標準ダウンミックスゲインとＤＲＣプロファイルとを有する５．１サラウンドモードへと切り替えるように設定されることができる。このように、レガシーコンテンツは現状と同様に符号化されるであろうし、没入型又は双方向型の特性を有する新たなコンテンツは正確な設定で自動的に符号化されるであろう。
【０１３７】
本発明の更なる実施形態は以下のような実例に関連する。
１．デジタルオーディオチャネル内でデータを送信又は受信するシステムであって、前記データを、帯域制限されているか又は前記チャネル内の送信について送信劣化に耐え得る信号か、又は、何らかの方法で一緒にパックされている生のビットではないがチャネル劣化に耐え得る信号か、へとデジタル的に変調又は符号化することにより実行されるシステム。
２．実例１のシステムであって、前記データは、制御データ、メタデータ、又は二次デジタルオーディオチャネル内で搬送されるオーディオ信号に関連する他のデータであるシステム。
３．データ圧縮済みデジタルオーディオビットストリームをデジタルオーディオチャネル内で送信するシステムであり、前記チャネル内で送信するために前記ビットストリームをデジタル的に変調又は符号化することにより実行されるシステム。
４．実例３のシステムであって、前記データ圧縮済みデジタルオーディオビットストリームはメタデータ又は制御データを含むシステム。
５．実例３のシステムであって、前記データ圧縮済みデジタルオーディオビットストリームはメタデータ又は制御データだけを含み、関連するオーディオ情報は含まないシステム。
６．実例１のシステムであって、前記デジタルオーディオチャネルはデジタルビデオ信号内へと埋め込まれるシステム。
７．実例２のシステムであって、前記デジタルオーディオチャネルはデジタルビデオ信号内へと埋め込まれるシステム。
８．実例３のシステムであって、前記デジタルオーディオチャネルはデジタルビデオ信号内へと埋め込まれるシステム。
９．実例４のシステムであって、前記デジタルオーディオチャネルはデジタルビデオ信号内へと埋め込まれるシステム。
１０．実例５のシステムであって、前記デジタルオーディオチャネルはデジタルビデオ信号内へと埋め込まれるシステム。
１１．ビットのストリームを含むオーディオ制御データ又はメタデータを変調してオーディオ状のデジタルストリームを取得する方法、装置又はコンピュータプログラムであって、
第１のビット数をグループ化すること、
前記第１のビット数により表現される状態を決定すること、
前記状態を前記第１のビット数よりも大きい第２数のビット数により表現し、かつ前記第２のビット数の１回分を有するか又は２回分以上を連続的に有するデジタル語のシーケンス内へと前記第２のビット数を書き込むこと、又は
前記第１のビットをデジタル語のシーケンス内へと２回以上連続的に書き込むことを含む。
１２．デジタルストリームを復調してオーディオメタデータ又は制御データのビットのストリームを取得する方法、装置又はコンピュータであって、
受信されたオーディオサンプルのシーケンス間の多数決又は平均値計算を実行してグループ化された第１のビット数を取得するか、又は１つのオーディオサンプルを幾つかのビットへと量子化すること、及び
第１のビット数の２つ以上のグループを連結することにより得られたビットのシーケンスをシンタックス的に解析して、前記メタデータ情報を取得することを含む。
【０１３８】
これまで本発明を、ブロックが実際の又は論理ハードウエア要素を表すブロック図の文脈で説明してきたが、本発明はまたコンピュータ実装された方法によって構成され得る。後者の場合、ブロックは対応する方法ステップを表しており、これらステップは対応する論理的又は物理的ハードウエアブロックによって実行される機能を表している。
【０１３９】
これまで幾つかの態様を装置の文脈で示してきたが、これらの態様は対応する方法の説明をも表しており、１つのブロック又は装置が１つの方法ステップ又は方法ステップの特徴に対応することは明らかである。同様に、方法ステップを説明する文脈で示した態様もまた、対応するブロック、項目、又は対応する装置の特徴を表している。方法ステップの幾つか又は全ては、例えばマイクロプロセッサ、プログラム可能なコンピュータ、又は電子回路などのハードウエア装置によって（を使用して）実行されてもよい。幾つかの実施形態では、最も重要な方法ステップの１つ又はそれ以上がそのような装置によって実行されてもよい。
【０１４０】
所定の構成要件にもよるが、本発明の実施形態は、ハードウエア又はソフトウエアにおいて構成可能である。この構成は、例えばフレキシブルディスク，ＤＶＤ，ブルーレイ，ＣＤ，ＲＯＭ，ＰＲＯＭ，ＥＰＲＯＭ，ＥＥＰＲＯＭ，フラッシュメモリなどのデジタル記憶媒体を使用して実行することができ、そのデジタル記憶媒体は、その中に格納された電子的に読み取り可能な制御信号を有し、それら制御信号は、本発明の各方法が実行されるようにプログラム可能なコンピュータシステムと協働する（又は協働可能である）。従って、そのデジタル記憶媒体はコンピュータ読み取り可能であってもよい。
【０１４１】
本発明に従う幾つかの実施形態は、電子的に読み取り可能な制御信号を有するデータキャリアを含み、それら制御信号は、上述した方法の１つを実行するようプログラム可能なコンピュータシステムと協働可能である。
【０１４２】
一般的に、本発明の実施形態は、プログラムコードを有するコンピュータプログラム製品として構成することができ、そのプログラムコードは当該コンピュータプログラム製品がコンピュータ上で作動するときに、本発明の方法の一つを実行するよう作動可能である。そのプログラムコードは例えば機械読み取り可能なキャリアに記憶されていても良い。
【０１４３】
本発明の他の実施形態は、上述した方法の１つを実行するための、機械読み取り可能なキャリアに格納されたコンピュータプログラムを含む。
【０１４４】
換言すれば、本発明の方法の一実施形態は、コンピュータプログラムがコンピュータ上で作動するときに、上述した方法の１つを実行するためのプログラムコードを有するコンピュータプログラムである。
【０１４５】
本発明の他の実施形態は、上述した方法の１つを実行するために記録されたコンピュータプログラムを含む、データキャリア（又はデジタル記憶媒体、又はコンピュータ読み取り可能な媒体などの非一時的記憶媒体）である。そのデータキャリア、デジタル記憶媒体又は記録された媒体は、典型的には有形及び／又は非一時的である。
【０１４６】
本発明の他の実施形態は、上述した方法の１つを実行するためのコンピュータプログラムを表現するデータストリーム又は信号列である。そのデータストリーム又は信号列は、例えばインターネットのようなデータ通信接続を介して伝送されるよう構成されても良い。
【０１４７】
他の実施形態は、上述した方法の１つを実行するように構成又は適応された、例えばコンピュータ又はプログラム可能な論理デバイスのような処理手段を含む。
【０１４８】
他の実施形態は、上述した方法の１つを実行するためのコンピュータプログラムがインストールされたコンピュータを含む。
【０１４９】
本発明に係るさらなる実施形態は、上述した方法の１つを実行するためのコンピュータプログラムを受信機へ（例えば電子的又は光学的に）伝送するよう構成された装置又はシステムを含む。受信機は、例えばコンピュータ、モバイル装置、メモリ装置等であってもよい。この装置又はシステムは、例えばコンピュータプログラムを受信機へと送信するためのファイルサーバを含み得る。
【０１５０】
幾つかの実施形態においては、（例えば書換え可能ゲートアレイのような）プログラム可能な論理デバイスが、上述した方法の幾つか又は全ての機能を実行するために使用されても良い。幾つかの実施形態では、書換え可能ゲートアレイは、上述した方法の１つを実行するためにマイクロプロセッサと協働しても良い。一般的に、そのような方法は、好適には任意のハードウエア装置によって実行される。
【０１５１】
上述の実施形態は、本発明の原理の単なる説明に過ぎない。上述の装置及び詳細の修正及び変更が当業者にとって明らかなことは理解されよう。従って、以下に添付する特許請求の範囲の主題によってのみ限定されるべきであり、実施形態の説明及び解説の方法で表現された特定の詳細によっては限定されないことが趣旨である。
［備考］
[請求項１]
一次メディアデータ（９０，９０ａ，９０ｂ）についてのメタデータ又は制御データを有する二次メディアデータ（８０，１２５，１３０）を符号化する符号器（１００）において、
前記符号器（１００）は前記二次メディアデータ（８０，１２５）を符号化して、デジタル語（１４２）のストリーム（１４５）を取得するよう構成され、前記符号化は前記二次メディアデータをデジタル変調によって変換すること又は帯域制限することを含み、
前記符号器（１００）は、前記デジタル語（１４２）のストリーム（１４５）として、符号化済み二次メディアデータを出力するよう構成される、符号器。
[請求項２]
請求項１に記載の符号器（１００）において、前記符号化は前記デジタル変調によって冗長性を付加することを含む、符号器（１００）。
[請求項３]
請求項１又は２に記載の符号器（１００）において、前記デジタル変調は、前記デジタル語のストリームの１デジタル語当り、前記二次メディアデータ（８０，１２５，１３０）の２ビット以上が伝送されるようにされる、符号器（１００）。
[請求項４]
請求項１乃至３の何れか１項に記載の符号器（１００）において、前記符号器は、前記デジタル語のストリームがＰＣＭオーディオチャネルを介して伝送可能なように、前記デジタル語（１４２）のストリーム（１４５）を出力するよう構成される、符号器（１００）。
[請求項５]
請求項１乃至４の何れか１項に記載の符号器（１００）において、前記符号器は、デジタル語の追加的ストリームを出力するよう構成され、前記デジタル語の追加的ストリームは前記一次メディアデータを表し、前記追加的ストリームは前記デジタル語（１４２）のストリーム（１４５）から分離されている、符号器（１００）。
[請求項６]
請求項５に記載の符号器（１００）において、前記一次メディアデータはオーディオデータであり、前記二次メディアデータは前記オーディオデータについてのメタデータ又は前記オーディオデータについての制御データである、符号器（１００）。
[請求項７]
請求項５又は６に記載の符号器（１００）において、前記符号器は、前記デジタル語の追加的ストリームが第１のオーディオＰＣＭチャネルを介して伝送可能であり、かつ前記デジタル語のストリームが第１のオーディオＰＣＭチャネルとは異なる第２のオーディオＰＣＭチャネルを介して伝送可能であるように、前記デジタル語（１４２）のストリーム（１４５）と前記デジタル語の追加的ストリームとを出力するよう構成される、符号器（１００）。
[請求項８]
請求項５乃至７の何れか１項に記載の符号器（１００）において、前記一次メディアデータ（９０ａ，９０ｂ）を表す前記追加的ストリームのデジタル語の各々は、８ビットより大きく、３２ビットより小さな所定のビット数を有しており、前記デジタル語のストリームのデジタル語の各々もまた所定のビット数を有する、符号器（１００）。
[請求項９]
請求項１乃至８の何れか１項に記載の符号器（１００）において、前記デジタル変調はパルス振幅変調である、符号器（１００）。
[請求項１０]
請求項１乃至９の何れか１項に記載の符号器（１００）において、前記符号器は、前記デジタル語のストリームがタイミング基準パターン又は振幅基準パターンを含むように、前記デジタル語のストリームを生成するよう構成される、符号器（１００）。
[請求項１１]
請求項１乃至１０の何れか１項に記載の符号器（１００）において、前記符号器はビデオ画像のシーケンスを表現するビデオストリームを出力するよう構成され、前記符号器は、あるビデオ画像に関連する前記二次メディアデータの制御データ又はメタデータがそのビデオ画像に関係するように、前記デジタル語（１４２）のストリーム（１４５）を出力するよう構成される、符号器（１００）。
[請求項１２]
請求項１１に記載の符号器（１００）において、前記符号器は前記デジタル語のストリームを、前記ビデオ画像のシーケンスの第１ビデオ画像に関連したデジタル語の第１ストリームとして出力するよう構成され、かつ前記デジタル語のストリームを、前記ビデオ画像のシーケンスの第２ビデオ画像に関連したデジタル語の第２ストリームとして出力するよう構成され、前記第１及び第２のデジタル語は互いに等しい、符号器（１００）。
[請求項１３]
請求項１乃至１２の何れか１項に記載の符号器（１００）において、
前記符号器（１００）は、１２〜２８ビットを有するか、３０ｋＨｚ〜５５ｋＨｚの間のサンプリングレートでサンプリングされるか、７０〜１６０ｄＢのダイナミックレンジを有するか、又はＲＭＳフルスケールで−２０ｄＢの公称信号レベルを有する、前記デジタル語（１４２）を生成するよう構成される、符号器（１００）。
[請求項１４]
請求項１乃至１３の何れか１項に記載の符号器（１００）において、前記符号器は、３０ｋＨｚ〜５５ｋＨｚの間のサンプリングレートについて、前記二次メディアデータを帯域制限するために１５ｋＨｚ〜２７．５ｋＨｚの間の上側周波数を使用するよう構成される、符号器（１００）。
[請求項１５]
請求項１乃至１４の何れか１項に記載の符号器（１００）において、前記符号器は、
第１のビット数を有する二次メディアデータのグループを、前記第１のビット数より大きな第２のビット数を有するデータ語（１４０）へマッピングするよう構成されたマッパ（１１５）であって、前記グループ化された二次メディアデータ（１３０）は、前記データ語（１４０）の最上位ビット又は最下位ビットへとあるギャップを持って整列されている、マッパ（１１５）と、
符号化済み二次メディアデータ（５５）を表すデジタル語のストリーム（１４５）を構築するよう構成されたストリームビルダ（１２０）とを備える、符号器。
[請求項１６]
請求項１乃至１５の何れか１項に記載の符号器（１００）において、二次メディアデータ（１２５）のビットストリームをグループ化して、グループ化された二次メディアデータ（１３０）を形成するためのグルーパ（１０５）を含む、符号器（１００）。
[請求項１７]
請求項１乃至１６の何れか１項に記載の符号器（１００）において、
前記符号器は、前記一次メディアデータ（９０，９０ａ，９０ｂ）における基準振幅（４１、４２）又は所定のタイミング時点（４０，１６５）を示す基準パターン（１３５）を生成するよう構成された基準信号生成部（１７）を有し、
前記ストリームビルダ（１２０）は、前記基準パターン（６０）又は前記データ語（１４０）を使用して、符号化済み二次メディアデータ（５５）を表すデジタル語のストリーム（１４５）を構築するよう構成される、符号器。
[請求項１８]
請求項１乃至１７の何れか１項に記載の符号器（１００）において、ストリームビルダは、データ語（１４０）又は基準パターン（１３５）をローパスフィルタリングして、所定のサンプルレートの１サンプルより大きな長さを有するデジタル語を取得するフィルタ（１５）を備え、前記デジタル語の振幅は、前記データ語（１４０）又は前記基準パターン（１３５）に従って重み付けされ、前記フィルタ（１５）は所定のサンプルレートの各時点において連続的なデジタル語を合算し、前記デジタル語のストリームを取得するよう構成される、符号器。
[請求項１９]
請求項１乃至１８の何れか１項に記載の符号器（１００）において、
前記フィルタ（１５）は、データパルス（１５'）の所定のサンプルレートの各時点におけるゼロ点（１６５）を得るよう構成され、前記データパルスはグループ化された二次メディアデータ（１３０）又は前記基準パターン（１３５）を含む１つのデータ語（１４０）を有し、
前記ストリームビルダ（１２０）は、前記データパルス（１５'）のゼロ点（１８０ｃ）が追加のデータパルスの最大値（１８０ａ）に整列されるように、前記基準パターン及び複数のデータ語を使用して、前記符号化済み二次メディアデータ（５５）を表す前記ストリームを構築し、前記符号化済み二次メディアデータを表すシンボル間干渉のないストリームを取得するよう構成される、符号器。
[請求項２０]
請求項１乃至１９の何れか１項に記載の符号器（１００）において、前記フィルタ（１５）は、前記一次メディアデータのサンプリング周波数の１．５倍未満のカットオフ周波数を有する、符号器。
[請求項２１]
請求項１乃至２０の何れか１項に記載の符号器（１００）において、基準信号生成部（１７）は、第１のビット数を持つグループ化された基準パターンを生成するよう構成され、前記基準信号生成部（１７）は前記グループ化された基準パターンを、第１のビット数より大きな第２のビット数を持つ１つのデータ語（１４０）へとマップするようさらに構成され、又は
前記マッパ（１１５）は、第１のビット数を持つグループ化された基準パターンを、第１のビット数より大きな第２のビット数を持つ１つのデータ語（１４０）へとマップするよう構成される、符号器。
[請求項２２]
請求項１乃至２１の何れか１項に記載の符号器（１００）において、前記符号器は、デジタル語（１４２）のストリーム（１４５）としての符号化済み二次メディアデータを制御トラックとして出力し、かつ１５チャネルまでの一次メディアデータをオーディオトラックとして出力するよう構成され、前記制御トラック及び前記オーディオトラックはＡＥＳ３標準に従って形成される、符号器。
[請求項２３]
一次メディアデータ（９０，９０ａ，９０ｂ）についてのメタデータ又は制御データを有する符号化済み二次メディアデータ（５５）を表す、デジタル語の受信されたストリーム（１４５）を有するメディア信号（１５５）を復号化する復号器（５０）であって、
前記復号器は、二次メディアデータ（８０，１２５）を復元するよう構成され、前記復元は、デジタル復調操作又はリサンプリング操作を適用して、復元された二次メディアデータ（８０，１２５）を取得することを含み、
前記復号器は、前記復元された二次メディアデータ（８０，１２５）からビットストリーム（１２５'）を導出するよう構成される、復号器。
[請求項２４]
請求項２３に記載の復号器（５０）において、前記復元は、受信されたデジタル語（１４２）によって表現された振幅に関して、デジタル語（１４２）の受信されたストリーム（１４５）を操作することを含む、復号器。
[請求項２５]
請求項２３又は２４に記載の復号器（５０）において、前記メディア信号は、符号化済み一次メディアデータを表す追加的に受信されたデジタル語のストリームをさらに含み、前記追加的に受信されたストリームは前記受信されたストリームとは分離されており、
前記復号器は、前記追加的に受信されたストリームによって表現された前記一次メディアデータを、前記ビットストリームによって表現された前記メタデータ又は制御データを使用して処理するよう構成されている、復号器。
[請求項２６]
請求項２３乃至２５の何れか１項に記載の復号器（５０）において、
前記符号化済み二次メディアデータ（５５）の基準パターン（１３５）を分析するための基準パターン分析部（６０）であって、前記基準パターン（１３５）の振幅（４１，４２）を決定し、又は前記一次メディアデータ（９０，９０ａ，９０ｂ）内での所定のタイミング時点（４０）を決定するよう構成された、基準パターン分析部（６０）と、
前記符号化済み二次メディアデータ（５５）を分析された基準パターン（７５）及び計算された基準パターンに従って操作し、二次メディアデータ（８０，１２５）を得る信号マニピュレータ（６５）と、
前記一次メディアデータ（９０，９０ａ，９０ｂ）を前記符号化済み二次メディアデータ（５５）に従って処理し、復号化済みメディア信号（８５）を得る，信号処理部（７０）と、
を有する復号器。
[請求項２７]
請求項２３乃至２６の何れか１項に記載の復号器（５０）において、信号マニピュレータ（６５）が、前記基準パターン（１３５）において示された前記一次メディアデータ（９０，９０ａ，９０ｂ）の所定のタイミング時点（４０，１６５）にしたがって、前記デジタル語（１４０）に関連するサンプルレートを所定のサンプルレートへと変換し、リサンプル済みのデジタル語を取得するよう構成されたサンプルレート変換器（２８）を含む、復号器。
[請求項２８]
請求項２３乃至２７の何れか１項に記載の復号器（５０）において、基準パターン分析部は、
サンプルレートのサンプルについて、前記基準パターンにおける前記一次メディアデータの所定のタイミング時点を決定するよう構成された、タイミング時点決定部（３２）と、
決定されたタイミング時点周りのある範囲をアップサンプルして、所定のタイミング時点の正確な位置を決定するよう構成された、アップサンプラ（３３）と、
デジタル語のストリーム内での前記デジタル語の正確な位置を決定し、所定のサンプルレートとは異なる、前記デジタル語に関連した実際のサンプルレートを取得するよう構成された、サンプリング・アキュムレータ（３４）と、を含む、
復号器。
[請求項２９]
請求項２３乃至２８の何れか１項に記載の復号器（５０）において、前記基準パターン分析部（６０）は、前記基準パターンの振幅及び前記計算された基準パターンの振幅に従って増幅又は減衰ファクタを計算するゲインファクタ計算部（９４）を含み、前記信号マニピュレータ（６５）は、前記増幅又は減衰ファクタに従って前記データ語を増幅又は減衰させ、ゲイン補償されたデータ語を得るよう構成された乗算器（２７）を含む、復号器。
[請求項３０]
請求項２３乃至２９の何れか１項に記載の復号器（５０）において、
前記基準パターン分析部は、基準パターンの振幅と前記基準パターンの追加的振幅とを決定する振幅検出部を有し、
前記基準パターン分析部（６０）は、前記基準パターン（１３５）の振幅と前記基準パターンの追加的振幅とのドリフトに従って、前記符号化済み二次メディアデータのオフセットを計算するよう構成されたオフセット補償ユニット（９６）をさらに有し、前記信号マニピュレータ（６５）は、前記符号化済み二次メディアデータに対して前記符号化済み二次メディアデータのオフセットを加算して、オフセット補償された符号化済み二次メディアデータ（９６）を得るよう構成された加算器を含む、
復号器。
[請求項３１]
請求項２３乃至３０の何れか１項に記載の復号器（５０）において、
信号マニピュレータ（６５）は、第１のビット数よりも大きい第２のビット数を有するデータ語（１４０）から、第１のビット数を有する二次メディアデータをデマップするよう構成されたデマッパ（２９）を備え、又は
信号マニピュレータ（６５）は、第１のビット数を有する二次メディアデータのグループのグループ化を解除し、復号化済み二次メディアデータのビットストリームを取得するアングルーパ（３１）を備える、
復号器。
[請求項３２]
一次メディアデータ（９０，９０ａ，９０ｂ）についてのメタデータ又は制御データを含む符号化済み二次メディアデータ（５５）を表すデジタル語（１４２）のストリーム（１４５）を有する、メディア信号（１５５）。
[請求項３３]
請求項３２に記載のメディア信号（１５５）であって、前記デジタル語（１４２）はフィルタリングされた二次メディアデータを含む、メディア信号（１５５）。
[請求項３４]
請求項３２又は３３に記載のメディア信号（１５５）であって、前記二次メディアデータは基準パターン（１３５）と複数のデータ語（１４０）とを含む、メディア信号（１５５）。
[請求項３５]
請求項３２乃至３４の何れか１項に記載のメディア信号（１５５）であって、前記二次メディアデータは、前記データ語の最上位ビット又はデータ語の最下位ビットに対してあるギャップをもって、データ語にマップされている、メディア信号（１５５）。
[請求項３６]
請求項３２乃至３５の何れか１項に記載のメディア信号（１５５）であって、前記基準パターンは、符号化済み二次メディアデータの基準振幅と一次メディアデータにおける所定のタイミング時点とを有し、前記複数のデータ語は二次メディアデータを含む、メディア信号（１５５）。
[請求項３７]
請求項３２乃至３６の何れか１項に記載のメディア信号（１５５）であって、前記メディア信号は前記一次メディアデータの追加的ストリームを有し、前記一次メディアデータはオーディオデータ又はビデオデータを有し、前記一次メディアデータを有する追加的ストリームは、前記一次メディアデータにおける所定のタイミング時点において前記符号化済み二次メディアデータのストリームに整列されている、メディア信号（１５５）。
[請求項３８]
一次メディアデータ（９０，９０ａ，９０ｂ）についてのメタデータ又は制御データを有する符号化済み二次メディアデータ（５５）を表す、デジタル語の受信されたストリーム（１４５）を有するメディア信号（１５５）を復号化する方法（１１００）において、
二次メディアデータ（８０，１２５）を復元するステップであって、前記復元は、デジタル復調操作又はリサンプリング操作を適用して、復元された二次メディアデータ（８０，１２５）を取得することを含む、ステップと、
前記復元された二次メディアデータ（８０，１２５）からビットストリーム（１２５'）を導出するステップと、
を含む方法。
[請求項３９]
一次メディアデータ（９０，９０ａ，９０ｂ）についてのメタデータ又は制御データを有する二次メディアデータ（８０，１２５）を符号化する方法（１２００）であって、
前記二次メディアデータ（８０，１２５）を符号化してデジタル語（１４２）のストリーム（１４５）を取得するステップであって、前記符号化は前記二次メディアデータをデジタル変調によって変換すること又は帯域制限することを含む、ステップと、
前記デジタル語（１４２）のストリーム（１４５）として、符号化済み二次メディアデータを出力するステップと、
を含む方法。
[請求項４０]
コンピュータプログラムがコンピュータ上で作動するとき、請求項３８又は３９に記載の方法を実行する、プログラムコードを有するコンピュータプログラム。
[請求項４１]
請求項１乃至２２の何れか１項に記載の符号器と、
請求項２３乃至３１の何れか１項に記載の復号器と、を含むデータ処理システム。
[請求項４２]
請求項４１に記載のデータ処理システムであって、
前記デジタル語（１４２）のストリーム（１４５）を操作して、デジタル語の操作済みストリームを取得する信号マニピュレータをさらに含み、
前記復号器は、前記デジタル語の操作済みストリームから前記デジタル語のストリームを復元するよう構成される、データ処理システム。
[請求項４３]
請求項４２に記載のデータ処理システムであって、
前記信号マニピュレータは、振幅増幅若しくは振幅減衰、オフセット導入若しくはオフセット変化、周波数選択的な減衰若しくは増幅、又はリサンプリングによって、操作するよう構成され、
前記復号器（５０）は、振幅増幅若しくは振幅減衰、オフセット導入若しくはオフセット変化、周波数選択的な減衰若しくは増幅、又はリサンプリングによって操作された、デジタル語のストリームを復元するよう構成される、データ処理システム。
[請求項４４]
請求項４２又は４３に記載のデータ処理システムであって、前記信号マニピュレータはＰＣＭオーディオチャネルを受信し、ＰＣＭオーディオチャネルを出力するよう構成され、
前記符号器は前記ＰＣＭオーディオチャネルを介して伝送可能な信号を出力するよう構成され、
前記復号器は前記ＰＣＭオーディオチャネルから前記受信されたストリームを受信するよう構成される、データ処理システム。
【図１】
2019193268.tif 000005
【図２】
2019193268.tif 000006
【図３】
2019193268.tif 000007
【図４】
2019193268.tif 000008
【図５】
2019193268.tif 000009
【図６】
2019193268.tif 000010
【図７】
2019193268.tif 000011
【図８ａ】
2019193268.tif 000012
【図８ｂ】
2019193268.tif 000013
【図８ｃ】
2019193268.tif 000014
【図９】
2019193268.tif 000015
【図１０ａ】
2019193268.tif 000016
【図１０ｂ】
2019193268.tif 000017
【図１１ａ】
2019193268.tif 000018
【図１１ｂ】
2019193268.tif 000019
【図１１ｃ】
2019193268.tif 000020
【図１２ａ】
2019193268.tif 000021
【図１２ｂ】
2019193268.tif 000022
【図１２ｃ】
2019193268.tif 000023
【図１２ｄ】
2019193268.tif 000024
【図１３】
2019193268.tif 000025
【図１４】
2019193268.tif 000026
【図１５ａ−１】
2019193268.tif 000027
【図１５ａ−２】
2019193268.tif 000028
【図１５ｂ−１】
2019193268.tif 000029
【図１５ｂ−２】
2019193268.tif 000030